(57)【特許請求の範囲】
【請求項１】
無線通信システムにおける基地局によるリソースマッピング方法であって、
一個又はそれ以上のサブフレーム（ＳＦ）の複数個のリソースエレメント（ＲＥ）にブロードキャストチャンネルの送信に対する全体反復及び部分反復を含む反復をマッピングするステップと、
前記ブロードキャストチャンネルに対する前記全体反復及び前記部分反復を含む前記反復をユーザー端末（ＵＥ）に送信するステップと、を有し、
前記部分反復は、前記全体反復のうちの一つにマッピングするために必要なＲＥの個数より少ない個数のＲＥにマッピングされる
ことを特徴とする方法。
【請求項２】
前記反復をマッピングするのに利用可能なＲＥの全体個数は
【数１】
0006501763.tif 000029
であり、前記全体反復のうちの一つにマッピングするために要求されるＲＥの個数は
【数２】
0006501763.tif 000030
であり、前記全体反復の全体個数は
【数３】
0006501763.tif 000031
であり、前記部分反復は
【数４】
0006501763.tif 000032
個のＲＥに存在し、
【数５】
0006501763.tif 000033
は直接にそれより小さい整数に四捨五入する‘フロア'関数である
ことを特徴とする請求項１に記載の方法。
【請求項３】
前記複数個のＲＥは、前記基地局が各アンテナポートに共通基準信号を送信するために使用するＲＥを除外したすべてのＲＥを含む
ことを特徴とする請求項１に記載の方法。
【請求項４】
前記複数のＲＥは、前記基地局が同期信号を送信するために使用するシンボルのＲＥ、前記基地局が反復を使用せずにブロードキャストチャンネルを送信するために使用するシンボルのＲＥ及び前記基地局が制御シグナリングを送信するために使用する前記ＳＦの所定の集合の各ＳＦに対するシンボルのＲＥを除き、ＳＦの所定集合ですべてのＲＥを含む
ことを特徴とする請求項１に記載の方法。
【請求項５】
前記基地局が反復を使用せずに送信するブロードキャストチャンネルにより伝送される情報コンテンツは、前記基地局が反復で送信するブロードキャストチャンネルにより伝送される情報コンテンツと同一である
ことを特徴とする請求項４に記載の方法。
【請求項６】
請求項１乃至請求項５のうちいずれか一つの方法を遂行するように構成される
ことを特徴とする基地局。
【発明の詳細な説明】
【技術分野】
【０００１】
本発明は無線通信に関するもので、特にブロードキャストシグナリングのカバレッジ向上のためのリソースマッピングに関する。
【背景技術】
【０００２】
無線通信は、現代歴史で最も成功的な革新のうちの一つであった。最近、無線通信サービスに対する加入者の数が５０億を超え、速く増加し続けている。無線データトラフィックの要求は、消費者と、スマートフォンとタブレット、“ノートパッド”、コンピュータ、ネットブック、電子書籍リーダー、及びマシンタイプのデバイスのような他の移動データデバイスのビジネスの間で増加する人気によって急激に増加している。移動データトラフィックでの速い成長を満足させるために、新たなアプリケーション及び配置をサポートするために無線インターフェース効率性及びカバレッジでの改善は非常に重要である。
【発明の概要】
【発明が解決しようとする課題】
【０００３】
したがって、本発明の目的は、ブロードキャストシグナリングのカバレッジ向上のためのリソースマッピングを提供する方法及び装置を提供することにある。
【課題を解決するための手段】
【０００４】
上記のような目的を達成するために、本発明の一態様によれば、無線通信システムにおける基地局によるリソースマッピング方法が提供される。その方法は、１０個のサブフレーム(ＳＦ)を含むフレームの一つ以上のＳＦで複数のＳＦシンボル及び複数のＳＦシンボルの各ＳＦシンボルに対する帯域幅の複数のサブキャリアでブロードキャストチャンネルの送信に対する反復をマッピングするステップと、ブロードキャストチャンネルに対する反復をユーザー端末(ＵＥ）に送信するステップとを有し、少なくとも一つの反復は、ＳＦシンボルで複数のサブキャリアのサブセットにマッピングされ、一つの反復は部分反復である。
【０００５】
本発明の他の態様によれば、無線通信システムにおける基地局のリソースマッピング方法が提供される。その方法は、１０個のサブフレーム(ＳＦ)を含むフレームの一つ以上のＳＦで複数のＳＦシンボル及び複数のＳＦシンボルの各ＳＦシンボルに対する帯域幅の複数のサブキャリアでブロードキャストチャンネルの送信に対する反復をマッピングするステップと、ブロードキャストチャンネルに対する反復をユーザー端末(ＵＥ）に送信するステップとを有し、複数のサブキャリアは、基地局がチャンネル状態情報基準信号(ＣＳＩ-ＲＳ）をマッピングするために使用するサブキャリアの集合を含む。
【０００６】
また、本発明の他の態様によれば、無線通信システムにおけるユーザー端末(ＵＥ）のリソースマッピング方法が提供される。その方法は、ＵＥが１０個のサブフレームＳＦを含むフレームの一つ以上のＳＦで複数のＳＦシンボル及び複数のＳＦシンボルで各ＳＦシンボルに対する帯域幅の複数のサブキャリアでブロードキャストチャンネルの送信のための反復を伝達すると仮定するシグナリングを受信するステップと、第１に仮定した反復に対応する第１の受信されたシグナリングのエレメント-ワイズサブキャリアと第２の仮定した反復に対応する第２のシグナリングサブキャリアを相関するステップと、相関値を累積して合算値を獲得するステップと、合算値の大きさを演算するステップと、大きさがしきい値を超えるか否かに基づいて、受信したシグナリングにブロードキャストチャンネルに対する反復が存在するか否かを判定するステップとを有する。
【０００７】
本発明の他の態様によれば、基地局は、マッパと送信器を含む。マッパは、１０個のサブフレーム(ＳＦ)を含むフレームの一つ以上のＳＦで複数のＳＦシンボル及び複数のＳＦシンボルの各ＳＦシンボルに対する帯域幅の複数のサブキャリアでブロードキャストチャンネルの送信に対する反復をマッピングするように構成される。少なくとも一つの反復は、ＳＦシンボルで複数のサブキャリアのサブセットにマッピングされ、一つの反復は部分反復である。送信器は、ブロードキャストチャンネルに対する反復を送信するように構成される。
【０００８】
また、本発明の他の態様によれば、ユーザー端末(ＵＥ）は、受信器とマッパを含む。受信器は、ブロードキャストチャンネルの送信に対する反復を受信するように構成される。マッパは、１０個のサブフレーム(ＳＦ)を含むフレームの一つ以上のＳＦで複数のＳＦシンボル及び複数のＳＦシンボルの各ＳＦシンボルに対する帯域幅の複数のサブキャリアでブロードキャストチャンネルの反復をマッピングするように構成され、少なくとも一つの反復は、ＳＦシンボルで複数のサブキャリアのサブセットにマッピングされ、一つの反復は、部分反復である。
【０００９】
さらに、本発明の他の態様によれば、ユーザー端末(ＵＥ）は、受信器、相関器、累算器、演算ユニット、及び決定ユニットを含む。受信器は、ＵＥが１０個のサブフレームＳＦを含むフレームの一つ以上のＳＦで複数のＳＦシンボル及び複数のＳＦシンボルで各ＳＦシンボルに対する帯域幅の複数のサブキャリアでブロードキャストチャンネルの送信のための反復を伝達すると仮定するシグナリングを受信するように構成される。相関器は、第１の仮定した反復に対応する第１の受信されたシグナリングのサブキャリアと第２の仮定した反復に対応する第２のシグナリングのサブキャリアをエレメント-ワイズ(element-wise)相関するように構成される。累算器は、相関値を累積して合算値を獲得するように構成される。演算ユニットは、合算値に対する大きさ(magnitude)を演算するように構成される。決定ユニットは、大きさがしきい値より大きいか否かに基づいて受信されたシグナリングにブロードキャストチャンネルに対する反復が存在するか否かを判定するように構成される。
【００１０】
本発明の詳細な説明に先立って、本明細書の全般にわたって使用される特定の単語及び語句の定義を説明することが好ましい。“接続（結合）する(couple)”という語句とその派生語は、２個以上の構成要素の間で、相互に物理的な接触状態にあるか否か、それら間の任意の直接的又は間接的通信を称する。“送信する(transmit)”、“受信する(receive)”、及び“通信する(communicate)”という用語だけでなく、その派生語は、直接及び間接的な通信の両方ともを含む 。“含む（include）”及び “備える（comprise）”という語句だけではなく、その派生語（derivatives thereof）は、限定ではなく、含みを意味する。“又は（or）”という用語は、“及び／又は（and/or）”の意味を包括する。“関連した（associated with）”及び“それと関連した（associated therewith）”という語句だけではなく、その派生語句は、“含む（include）”、“含まれる（be included within）”、“相互に連結する（interconnect with）”、“包含する（contain）”、“包含される（be contained within）”、“連結する（connect to or with）”、“結合する（couple to or with）”、“疎通する（be communicable with）”、“協力する（cooperate with）”、“相互配置する（interleave）”、“並置する（juxtapose）”、“近接する（be proximate to）”、“接する（be bound to or with）”、“有する（have）”、及び“特性を有する（have a property of）”などを意味することができる。“制御部(controller)”は、少なくとも１つの動作を制御する装置、システム又はその部分を意味するもので、ハードウェア、ファームウェア、ソフトウェア、又は、それらのうちの２つ以上の組み合せで実現することができる。ある特定の制御器に関連した機能性は、ローカルでも遠隔でも、集中するか又は分散することができることに留意しなければならない。“少なくとも一つの(at least one of)”と
いう語句は、項目のリストとともに使用される時に、リストされた項目のうち一つ以上の異なる組み合せが使用され、そのリスト内の一つの項目のみが必要とされることができることを意味する。例えば、“Ａ、Ｂ、及びＣのうち少なくとも一つ”は、次のような組み合せのうちいずれか一つを含む：Ａ、Ｂ、Ｃ、Ａ及びＢ、Ａ及びＣ、Ｂ及びＣ、及びＡとＢとＣ。
【００１１】
さらに、以下に記述される様々な機能は、１つ以上のコンピュータプログラムにより具現化されるか又はサポートされ、そのプログラムの各々は、コンピュータ読み取り可能なプログラムコードで構成され、コンピュータ読み取り可能な媒体で実施される。“アプリケーション”及び“プログラム”という用語は、一つ以上のコンピュータプログラム、ソフトウェアコンポーネント、命令語セット、手順、関数、オブジェクト、クラス、インスタンス、関連データ、又は適したコンピュータ読み取り可能なプログラムコードの実現に適合したそれらの一部を称する。“コンピュータ読み取り可能なプログラムコード”という語句は、ソースコード、オブジェクトコード、及び実行コードを含むすべてのタイプのコンピュータコードを含む。“コンピュータ読み取り可能な媒体”という語句は、ＲＯＭ（Read Only Memory）、ＲＡＭ（Random Access Memory）、ハードディスクドライブ、ＣＤ（Compact Disc）、ＤＶＤ（Digital Video Disc）、又は任意の他のタイプのメモリのように、コンピュータによりアクセス可能なすべてのタイプの媒体を含む。“非一時的(non-transitory)”なコンピュータ読み取り可能な媒体は、一時的な電気又は他の信号を転送する有線、無線、光学、又は他の通信リンクを除外する。非一時的なコンピュータ読み取り可能な媒体は、データが永久的に記憶されることができる媒体、及び再記録可能な光学ディスクや削除可能なメモリ装置のようにデータが記憶され、後でオーバーライティングされ得る媒体を含む。
【００１２】
特定の単語及び語句に関するこのような定義は、本明細書の全般にわたって規定される。当業者には、大部分の場合ではなくても、多くの場合において、このような定義がそのように定義された単語及び語句の先行使用にはもちろん、将来の使用にも適用されるものであることが自明である。
【００１３】
本発明のより完全な理解及びそれに従う利点は、添付された図面とともに考慮すれば、後述する詳細な説明を参照してより容易に理解できる。また、図面中、同一の参照符号は、同一であるか又は類似した構成要素を示す。
【図面の簡単な説明】
【００１４】
【図１】本発明による無線通信ネットワークの一例を示す図である。
【図２】本発明によるユーザー端末(ＵＥ)の一例を示す図である。
【図３】本発明による向上したＮｏｄｅＢ(ｅＮＢ)の一例を示す図である。
【図４Ａ】本発明によるＦＤＤ用ＰＳＳ及びＳＳＳに対する時間ドメイン位置の一例を示す図である。
【図４Ｂ】本発明によるＴＤＤ用ＰＳＳ及びＳＳＳに対する時間ドメイン位置の一例を示す図である。
【図５Ａ】本発明によるＰＢＣＨ送信器の一例を示す図である。
【図５Ｂ】本発明によるＰＢＣＨ受信器の一例を示す図である。
【図６】本発明によるＰＢＣＨリソースマッピングの一例を示す図である。
【図７】本発明によるＳＦのＲＢでＣＲＳマッピングの一例を示す図である。
【図８】本発明による第１のＳＦ及び第２のＳＦでＣＥ-ＰＢＣＨ反復に対するＲＥの第１のマッピングを示す図である。
【図９Ａ】本発明による第１のＳＦ及び第２のＳＦでＣＥ-ＰＢＣＨ反復に対するＲＥの第２のマッピングを示す図である。
【図９Ｂ】本発明により、ＣＥ-ＰＢＣＨ送信がＣＳＩ-ＲＳパターンに基づいて第２のＳＦにおいて一部ＲＥでパンクチャリングされるフレームの第１のＳＦ及び第２のＳＦでＣＥ-ＰＢＣＨ反復に対するＲＥの割り当ての一例を示す図である。
【図９Ｃ】本発明により、ＣＥ-ＰＢＣＨ送信がＣＳＩ-ＲＳパターンに基づいて第２のＳＦにおいて一部ＲＥで禁止される(barred)フレームの第１のＳＦ及び第２のＳＦでＣＥ-ＰＢＣＨ反復に対するＲＥの割り当ての一例を示す図である。
【図１０】本発明により、ＯＦＤＭシンボルがＣＲＳ送信のために予約されるＲＥを含むか否かに従ってＣＥ-ＰＢＣＨ反復を送信するために使用されるＯＦＤＭシンボルのインデックシングの一例を示す図である。
【図１１】本発明によるＣＲＳのために予約されるＲＢ当たり８個のＲＥに対して発生するＣＥ-ＰＢＣＨ反復に対する４倍のＯＦＤＭシンボル形成の第１の例を示す図である。
【図１２】本発明によるフレームでＣＥ-ＰＢＣＨ送信に対して利用可能なＲＥの全体個数に対するＣＥ-ＰＢＣＨ反復の順次マッピングの一例を示す図である。
【図１３Ａ】本発明によるＣＥ-ＰＢＣＨ送信器を示す図である。
【図１３Ｂ】本発明によるＣＥ-ＰＢＣＨ受信器を示す図である。
【図１４】本発明によるフレームでＣＥ-ＰＢＣＨ送信の存在を決定するＣＥ-ＰＢＣＨ受信器を示す図である。
【発明を実施するための形態】
【００１５】
以下、本発明の望ましい実施形態を添付の図面を参照して詳細に説明する。
【００１６】
後述される図１〜図１４及び、本発明の原理を説明するために使用される多様な実施形態は、単にその実施例を示すものに過ぎず、本発明の範囲を限定するものとして捉えてはならない。本発明の原理が適切に配列された無線通信システムで実現できることは、当該技術分野で通常の知識を有する者には明らかである。
ここで、完全に説明されるように、次のような文書と標準説明は本開示に組み込まれる。
【００１７】
３ＧＰＰ  ＴＳ３６.２１１  ｖ１１.２.０，“Ｅ-ＵＴＲＡ，Ｐｈｙｓｉｃａｌｃｈａｎｎｅｌｓ  ａｎｄ  ｍｏｄｕｌａｔｉｏｎ”(ＲＥＦ１)；３ＧＰＰ  ＴＳ３６.２１２  ｖ１１. ２.０，“Ｅ-ＵＴＲＡ，Ｍｕｌｔｉｐｌｅｘｉｎｇ  ａｎｄ  ｃｈａｎｎｅｌ  ｃｏｄｉｎｇ”(ＲＥＦ２)；３ＧＰＰ  ＴＳ  ３６.２１３  ｖ１１.２.０，“Ｅ-ＵＴＲＡ， Ｐｈｙｓｉｃａｌ  Ｌａｙｅｒ  Ｐｒｏｃｅｄｕｒｅｓ”(ＲＥＦ３)；３ＧＰＰ  ＴＳ  ３６.３２１  ｖ１１.２.０，“Ｅ-ＵＴＲＡ，Ｍｅｄｉｕｍ  Ａｃｃｅｓｓ  Ｃｏｎｔｒｏｌ(ＭＡＣ)  ｐｒｏｔｏｃｏｌ  ｓｐｅｃｉｆｉｃａｔｉｏｎ”(ＲＥＦ４)；及び３ＧＰＰ  ＴＳ３６.３３１  ｖ１１.２.０，“Ｅ-ＵＴＲＡ，Ｒａｄｉｏ  Ｒｅｓｏｕｒｃｅ  Ｃｏｎｔｒｏｌ(ＲＲＣ)  Ｐｒｏｔｏｃｏｌ  Ｓｐｅｃｉｆｉｃａｔｉｏｎ”(ＲＥＦ５)。
【００１８】
本発明は、ブロードキャストシグナリングのカバレッジ向上のためのリソースマッピングに関するものである。無線通信ネットワークは、基地局又は向上したＮｏｄｅＢ(ｅＮＢ)のような送信ポイントからＵＥへの信号を伝達するダウンリンク(ＤＬ)を含む。また、無線通信ネットワークは、ＵＥからｅＮＢのような受信ポイントに信号を伝達するアップリンク(ＵＬ)を含む。
【００１９】
図１は、本発明による無線ネットワーク１００の一例を示す。図１に示す無線ネットワーク１００の実施形態は、説明のみを提供するために、図１に示す。無線ネットワーク１００の他の実施形態は、本発明の範囲から逸脱することなく使用され得る。
【００２０】
図１に示すように、無線ネットワーク１００は、このｅＮＢ１０１、ｅＮＢ１０２、及びｅＮＢ１０３を含む。ｅＮＢ１０１は、ｅＮＢ１０２及びｅＮＢ１０３と通信する。ｅＮＢ１０１は、インターネット、私有ＩＰネットワーク、又は他のデータネットワークのような少なくとも一つのインターネットプロトコル(ＩＰ)ネットワーク１３０と通信する。
【００２１】
ネットワークタイプに基づき、“基地局”又は“アクセスポイント”のような他の公知の用語が“ｅＮｏｄｅＢ”又は“ｅＮＢ”の代わりに使用できる。便宜のために、用語“ｅＮｏｄｅＢ”及び“ｅＮＢ”は、特許明細書で使用され、遠隔端末器に無線アクセスを提供するネットワークインフラストラクチャーコンポーネントを表す。また、ネットワークタイプに基づき、“移動端末”、“加入者端末”、“遠隔端末”、“無線端末”、又は“ユーザーデバイス”のような他のよく知られている用語が“ユーザー端末”又は“ＵＥ”の代わりに使用できる。ＵＥは、固定されるか、あるいは移動することができ、携帯電話、個人用コンピュータデバイスであり得る。便宜上、用語“ユーザー端末”及び“ＵＥ”は、本特許明細書で使用され、ｅＮＢに無線でアクセスする遠隔無線端末器を表し、ＵＥが(移動電話器又はスマートフォンのような)移動デバイスであるか、あるいは(例えば、デスクトップコンピュータ又は自動販売機のような）固定デバイスとノーマルに考慮されるかを表す。
【００２２】
ｅＮＢ１０２は、そのカバレッジ領域１２０内で第１の複数のＵＥに対してネットワーク１３０に無線広帯域アクセスを提供する。第１の複数のＵＥは、スモールビジネス(ＳＢ)に位置できるＵＥ１１１、エンタープライズ(Ｅ)に位置できるＵＥ１１２、ＷｉＦｉホットスポット(ＨＳ）に位置できるＵＥ１１３、第１のレジデンス(Ｒ)に位置できるＵＥ１１４、第２のレジデンス(Ｒ)に位置できるＵＥ１１５、及び携帯電話、無線ラップトップ、無線ＰＤＡのような移動デバイス(Ｍ)であり得るＵＥ１１６を含む。ｅＮＢ１０３は、そのカバレッジ領域１２５内で第２の複数のＵＥに対してネットワーク１３０に無線広帯域アクセスを提供する。第２の複数のＵＥは、ＵＥ１１５及びＵＥ１１６を含む。一部実施形態において、ｅＮＢ１０１乃至１０３のうち一つ以上は相互に通信でき、５Ｇ、ＬＴＥ、ＬＴＥ-Ａ、ＷｉＭＡＸ、又は他のアドバンスド無線通信技術を用いてＵＥ１１１乃至１１６と通信できる。
【００２３】
点線は、カバレッジ領域１２０、ｌ２５の概略的範囲を表し、これは、例示及び説明の目的のみのために概略的に円形で示す。カバレッジ領域１２０，１２５のようなｅＮＢに関連したカバレッジ領域はｅＮＢの構成及び自然的及び人為的な障害物と関連した無線環境での変更に基づき、不均一な形態を含む他の形状を有することができることは、明らかに理解されなければならない。
【００２４】
以下により詳細に説明するように、(ｅＮＢ１０１乃至１０３及び/又はＵＥ１１１乃至１１６のような）ネットワーク１００の多様なコンポーネントは、ネットワーク１００の通信方向の適応をサポートし、ブロードキャストシグナリングに対するカバレッジ向上を提供できる。
【００２５】
図１が無線ネットワーク１００の一実施形態を示すが、多様な変更が、図１に対してなされる。例えば、無線ネットワーク１００は、適合した配列で任意の個数のｅＮＢ及び任意の個数のＵＥを含むことができる。また、ｅＮＢ１０１は、任意の個数のＵＥとも直接に通信でき、これらＵＥにネットワーク１３０に無線広帯域アクセスを提供できる。同様に、各ｅＮＢ１０２，１０３は、ネットワーク１３０と直接に通信でき、ＵＥにネットワーク１３０に直接無線広帯域アクセスを提供できる。さらに、ｅＮＢ１０１，１０２、及び/又は１０３は、外部電話ネットワーク又は他のタイプのデータネットワークのように、他の外部ネットワーク又は追加的な外部ネットワークにアクセスを提供できる。
【００２６】
図２は、本発明によるＵＥ１１４の一例を示す。図２に示すＵＥ１１４の実施形態は、説明のみのために提供される。図１での他のＵＥは、同一の構成又は類似した構成を有することができる。しかしながら、ＵＥは、幅広い種類の構成が導入され、図２は、本発明の範囲をＵＥの具体的な実装に制限しない。
【００２７】
図２に示すように、ＵＥ１１４は、アンテナ２０５、無線周波数(ＲＦ)送受信器２１０、送信(ＴＸ)プロセッシング回路２１５、マイクロホン２２０、及び受信(ＲＸ)プロセッシング回路２２５を含む。また、ＵＥ１１４は、スピーカ２３０、メインプロセッサ２４０、入出力(Ｉ/Ｏ)インターフェース(ＩＦ)２４５、キーパッド２５０、ディスプレイ２５５、及びメモリ２６０を含む。メモリ２６０は、基本オペレーティングシステム(ＯＳ)プログラム２６１及び一つ以上のアプリケーション２６２を含む。
【００２８】
ＲＦ送受信器２１０は、アンテナ２０５からｅＮＢ又は他のＵＥにより送信される入力ＲＦ信号を受信する。ＲＦ送受信器２１０は、入力ＲＦ信号をダウンコンバータして中間周波数(Intermediate  Frequency：ＩＦ)又はベースバンド信号を生成する。ＩＦ又はベースバンド信号は、ＲＸプロセッシング回路２２５に送信され、ＲＸプロセッシング回路２２５は、ベースバンド又はＩＦ信号をフィルタリング、復号化、及び/又はデジタル化して処理されるベースバンド信号を生成する。ＲＸプロセッシング回路２２５は、追加的なプロセッシングのために、処理されたベースバンド信号を(音声データ用のような)スピーカ２３０に、あるいは(Ｗｅｂブラウジングデータ用のような)メインプロセッサ２４０に送信する。
【００２９】
ＴＸプロセッシング回路２１５は、マイクロホン２２０からのアナログ又はデジタル音声データを受信し、あるいはメインプロセッサ２４０から(Ｗｅｂデータ、ｅメール、又は双方向ビデオゲームデータのような)他の出力ベースバンドデータを受信する。ＴＸプロセッシング回路２１５は、出力ベースバンドデータを符号化、多重化、及び/又はデジタル化し、処理されたベースバンド又はＩＦ信号を生成する。ＲＦ送受信器２１０は、ＴＸプロセッシング回路２１５から出力処理されたベースバンド又はＩＦ信号を受信し、ベースバンド又はＩＦ信号を、アンテナ２０５を介して送信されるＲＦ信号にアップコンバートする。
【００３０】
メインプロセッサ２４０は、一つ以上のプロセッサ又は他のプロセッシングデバイスを含み、ＵＥ１１４の全般的な動作を制御するためにメモリ２６０に格納されている基本ＯＳプログラム２６１を実行することができる。例えば、メインプロセッサ２４０は、公知の原理により、ＲＦ送受信器２１０、ＲＸプロセッシング回路２２５、及びＴＸプロセッシング回路２１５により順方向チャンネル信号の受信及び逆方向チャンネル信号の送信を制御できる。一部実施形態において、メインプロセッサ２４０は、少なくとも一つのマイクロプロセッサ又はマイクロ制御器を含む。
【００３１】
また、メインプロセッサ２４０は、メモリ２６０に常駐する他のプロセス及びプログラムを実行できる。メインプロセッサ２４０は、実行中であるプロセスにより要求される場合にデータをメモリ２６０の内外に移動できる。一部実施形態において、メインプロセッサ２４０は、ＯＳプログラム２６１に基づいて、あるいはｅＮＢ、他のＵＥ、又はオペレータから受信される信号に応答してアプリケーション２６２を実行するように構成される。また、メインプロセッサ２４０は、Ｉ/Ｏインターフェース２４５に連結され、Ｉ/Ｏインターフェース２４５は、ＵＥ１１４にラップトップコンピュータ及びハンドヘルドコンピュータのような他のデバイスに接続される能力を提供する。Ｉ/Ｏインターフェース２４５は、これらアクセサリとメインプロセッサ２４０との間の通信経路である。
【００３２】
また、メインプロセッサ２４０は、キーパッド２５０及びディスプレイユニット２５５に連結される。ＵＥ１１４のオペレータは、キーパッド２５０を用いてＵＥ１１４にデータを入力できる。ディスプレイ２５５は、例えばＷｅｂサイトからテキスト及び/又は少なくとも制限されたグラフィックをレンダリング(rendering)する液晶クリスタルディスプレイ又は他のディスプレイであり得る。ディスプレイ２５５は、タッチスクリーンを表すこともある。
【００３３】
メモリ２６０は、メインプロセッサ２４０に連結される。メモリ２６０の一部はブロードキャストシグナリングメモリ(ＲＡＭ)を含み、メモリ２６０の他の部分は、フラッシュメモリ又は他のＲＯＭ(Read-Only  Memory)を含むことができる。
【００３４】
以下に、より具体的に説明するように、(ＲＦ送受信器２１０、ＴＸプロセッシング回路２１５、及び/又はＲＸプロセッシング回路２２５を用いて実現される）ＵＥ１１４の送信及び受信経路は、ノーマルモード又は向上したカバレッジモードでブロードキャストシグナリングをサポートサポートする。
【００３５】
図２は、ＵＥ１１４の一実施形態を示すが、図２に対して多様な変更がなされ得る。例えば、図２での多様なコンポーネントは組み合せ、追加的に細分され、あるいは省略され、他のコンポーネントが特別な必要に応じて追加され得る。また、特別な例として、メインプロセッサ２４０は、一つ以上の中央プロセッシングユニット(ＣＰＵ)及び一つ以上のグラフィックプロセッシングユニット(ＧＰＵ)のような複数のプロセッサに分割できる。また、図２に、移動電話又はスマートフォンのように構成されるUE１１４を示すが、ＵＥは、他のタイプの移動又は固定デバイスとして動作するように構成される。さらに、図２における多様なコンポーネントは、異なるＲＦコンポーネントがｅＮＢ１０１乃至１０３及び他のＵＥと通信するために使用される場合のように重複することができる。
【００３６】
図３は、本発明によるｅＮＢ１０２の一例を示す。図３に示すｅＮＢ１０２の実施形態は、単に説明のみのために提供され、図１の他のｅＮＢは、同一又は類似した構成を有することができる。しかしながら、ｅＮＢは、多様な構成が導入され、図３は、本発明の範囲をｅＮＢの特定の実施形態に制限するものではない。
【００３７】
図３に示すように、ｅＮＢ１０２は、複数のアンテナ３０５ａ-３０５ｎ、複数のＲＦ送受信器３１０ａ-３１０ｎ、送信(ＴＸ)プロセッシング回路３１５、及び受信(ＲＸ)プロセッシング回路３２０を含む。ｅＮＢ１０２は、制御器/プロセッサ３２５、メモリ３３０、及びバックホール又はネットワークインターフェース３３５を含む。
【００３８】
ＲＦ送受信器３１０ａ-３１０ｎは、アンテナ３０５ａ-３０５ｎからＵＥ又は他のｅＮＢにより送信される信号のような入力ＲＦ信号を受信する。ＲＦ送受信器３１０ａ-３１０ｎは、入力ＲＦ信号をダウンコンバートしてＩＦ又はベースバンド信号を生成する。ＩＦ又はベースバンド信号は、ベースバンド又はＩＦ信号をフィルタリング、復号化、及び/又はデジタル化することによって処理されるベースバンド信号を生成するＲＸプロセッシング回路３２０に送信される。ＲＸプロセッシング回路３２０は、追加的な処理のために制御器/プロセッサ３２５に処理されたベースバンド信号を送信する。
【００３９】
ＴＸプロセッシング回路３１５は、制御器/プロセッサ３２５から(音声データ、Ｗｅｂデータ、ｅメール、又は双方向性ビデオゲームデータのような)アナログ又はデジタルデータを受信する。ＴＸプロセッシング回路３１５は、出力されるベースバンドデータを符号化、多重化、及び/又はデジタル化して処理されたベースバンド又はＩＦ信号を生成する。ＲＦ送受信器３１０ａ-３１０ｎは、ＴＸプロセッシング回路３１５から出力される処理されたベースバンド又はＩＦ信号を受信し、ベースバンド又はＩＦ信号をアンテナ３０５ａ-３０５ｎを通じて送信されるＲＦ信号にアップコンバートする。
【００４０】
制御器/プロセッサ３２５は、ｅＮＢ１０２の全般的な動作を制御する一つ以上のプロセッサ又は他のプロセッシングデバイスを含むことができる。例えば、制御器/プロセッサ３２５は、公知の基本原理によって、ＲＦ送受信器３１０ａ-３１０ｎ、ＲＸプロセッシング回路３２０、及びＴＸプロセッシング回路３１５により順方向チャンネル信号の受信及び逆方向チャンネル信号の送信を制御できる。また、制御器/プロセッサ３２５は、より向上した無線通信機能のように追加的な機能をサポートできる。例えば、制御器/プロセッサ３２５は、複数のアンテナ３０５ａ-３０５ｎからの出力信号が所望する方向に出力信号を効率的にステアリング(steering)するために異なってウェイトされる(weighted)ビームフォーミング又は指向性ルーティング動作をサポートできる。より多様な他の機能は、制御器/プロセッサ３２５によりｅＮＢ１０２でサポートできる。一部実施形態では、制御器/プロセッサ３２５は、少なくとも一つのマイクロプロセッサ又はマイクロ制御器を含む。
【００４１】
制御器/プロセッサ３２５は、基本ＯＳのようなメモリ３３０に存在するプログラム又は他のプロセスを実行させ得る。制御器/プロセッサ３２５は、実行プロセスにより要求される場合、メモリ３３０の内部又は外部にデータを移動させ得る。
【００４２】
制御器/プロセッサ３２５は、バックホール又はネットワークインターフェース３３５に連結される。バックホール又はネットワークインターフェース３３５は、ｅＮＢ１０２がバックホール接続を通じて、あるいはネットワークを介して他のデバイス又はシステムと通信するように許可する。インターフェース３３５は、適合した有線又は無線接続を通じて通信をサポートできる。例えば、ｅＮＢ１０２は、(５Ｇ、ＬＴＥ、又はＬＴＥ-Ａのような）セルラー通信システムの一部として実現される場合、インターフェース３３５は、ｅＮＢ１０２が有線又は無線バックホール接続を通じて他のｅＮＢと通信するように許可する。ｅＮＢ１０２がアクセスポイントとして実現される場合、インターフェース３３５は、ｅＮＢ１０２が有線又は無線ローカル領域ネットワークを通じて、あるいは(インターネットのように)より大きいネットワークへの有線又は無線接続を通じて通信するようにする。インターフェース３３５は、イーサネット（登録商標）又はＲＦ送受信器のように、有線又は無線通信を通じて通信をサポートする適合した構造を含む。
【００４３】
メモリ３３０は、制御器/プロセッサ３２５に連結される。メモリ３３０の一部は、ＲＡＭを含み、メモリ３３０の他の部分は、フラッシュメモリ又は他のＲＯＭを含むことができる。
【００４４】
次に、より詳細に説明するように、(ＲＦ送受信器３１０ａ-３１０ｎ、ＴＸプロセッシング回路３１５、及び/又はＲＸプロセッシング回路３２０を用いて実現される)ｅＮＢ１０２の送信及び受信経路は、ノーマルモード又は向上したカバレッジモードでブロードキャストシグナリングをサポートする。
【００４５】
図３は、ｅＮＢ１０２の一例を示すが、多様な変更は、図３に対してなされることができる。例えば、ｅＮＢ１０２は、図３に示す任意の個数の各コンポーネントを含むことができる。特定の実施形態では、アクセスポイントは、複数のインターフェース３３５を含み、制御器/プロセッサ３２５は、異なるネットワークアドレスの間のデータをルーティングするルーティング機能をサポートできる。他の特定の実施形態において、ＴＸプロセッシング回路３１５の単一例及びＲＸプロセッシング回路３２０の単一例を含むことを示す一方で、ｅＮＢ１０２は、(ＲＦ送受信器別に一つのような）各々の複数の例を含むことができる。
【００４６】
一部の無線ネットワークにおいて、ＤＬ信号は、情報コンテンツを伝達するデータ信号、ＤＬ制御情報(ＤＣＩ)を伝達する制御信号、及びパイロット信号としても知られている基準信号(ＲＳ)を含む。ＤＬ信号は、直交周波数分割多重化(Orthogonal  Frequency  Division  Multiplexing：ＯＦＤＭ)を使用して送信できる。ｅＮＢ１０２のようなｅＮＢは、各物理ＤＬ共有チャンネル(Physical  DL  Shared  Channel：ＰＤＳＣＨ)又は物理ＤＬ制御チャンネル(ＰＤＣＣＨ)、あるいは向上したＰＤＣＣＨ(ＥＰＤＣＣＨ)を介してデータ情報又はＤＣＩを送信できる(ＲＥＦ１を参照)。ｅＮＢ１０２のようなｅＮＢは、ＵＥ-共通ＲＳ(Common  RS：ＣＲＳ)、チャンネル状態情報(Channel  State  Information：ＣＳＩ-ＲＳ)、及び復調ＲＳ(ＤＭＲＳ)を含む複数のタイプのＲＳのうち一つ以上を送信できる(ＲＥＦ１を参照)。ＣＲＳは、ＤＬシステム帯域幅(ＢＷ)を通じて送信され、ＵＥ１１４又はＵＥ１１６のようなＵＥによりデータ又は制御信号を復調し、あるいは測定を実行するために使用できる。ＣＲＳオーバーヘッドを減少するために、ｅＮＢ１０２は、ＣＲＳよりは時間又は周波数ドメインでより小さい密度を有するＣＳＩ-ＲＳを送信できる。干渉測定(Interference  Measurement：ＩＭ）に対して、ゼロパワーＣＳＩ-ＲＳ(Zero  Power  ＣＳＩ-ＲＳ：ＺＰＣＳＩ-ＲＳ)に関連したＣＳＩ-ＩＭリソースが使用できる。ＵＥ１１４又はＵＥ１１６のようなＵＥは、ｅＮＢ１０２のようなｅＮＢから無線リソース制御(ＲＲＣ)シグナリング(ＲＥＦ５を参照）のような上位階層シグナリングを通じてＣＳＩ-ＲＳ送信パラメータを決定できる。ＤＭＲＳは、各ＰＤＳＣＨ又はＰＤＣＣＨのＢＷのみで送信され、ＵＥは、ＰＤＳＣＨ又はＰＤＣＣＨで情報を復調するためにＤＭＲＳを使用できる。ｅＮＢ１０２は、フレームと呼ばれる１０個の連続するＳＦの周期でＤＬサブフレーム(ＳＦ)がマルチキャスト-ブロードキャスト単一周波数ネットワーク(Multicast-Broadcast  Single  Frequency  Network：ＭＢＳＦＮ）ＳＦで構成されることを、システム情報ブロック(ＳＩＢ)を通じてＵＥに指示できる。
【００４７】
セル検索及び同期を助けるために、ｅＮＢ１０２のようなｅＮＢは、サービングセルで基本同期信号(Primary  Synchronization  Signal：ＰＳＳ）及び補助同期信号(Secondary  Synchronization  Signal：ＳＳＳ)のような同期信号を送信できる。同一の構造を有しても、１０個のＳＦを含むフレーム内の同期信号の時間-ドメイン位置は、セルが周波数分割複信(Frequency  Division  Duplex：ＦＤＤ)又は時分割複信(Time Division Duplex:ＴＤＤ）で動作しているか否かに従って変わることができる。したがって、同期信号を獲得した後、ＵＥ１１４は、ＵＥ１１６のようなＵＥは、セルがＦＤＤ又はＴＤＤで動作するか、あるいはフレーム内のＳＦインデックスを決定できる。ＰＳＳ及びＳＳＳは、中心のＤＬオペレーティング帯域幅の中心の７２個のサブキャリアを占め、この７２個のサブキャリアは、リソースエレメント(Resource  Element：ＲＥ)と称される。さらに、ＰＳＳ及びＳＳＳは、セルに対する物理セル識別字(Physical  Cell  Identifier：ＰＣＩＤ)を通知でき、それによってＰＳＳ及びＳＳＳを獲得した後に、ＵＥ１１４又はＵＥ１１６は、送信セルのＰＣＩＤがわかる。
【００４８】
図４Ａは、本発明によるＦＤＤのためのＰＳＳ及びＳＳＳに対する時間ドメイン位置の一例を示す。図４Ｂは、本発明によるＴＤＤのためのＰＳＳ及びＳＳＳに対する時間ドメイン位置を示す。図４Ａ及び図４Ｂに示すような時間ドメイン位置の実施形態は、ただ説明のみのために提供される。他の実施形態は、本発明の範囲から逸脱することなく使用され得る。
【００４９】
図４Ａに示すように、ＦＤＤの場合で、毎フレーム４０５に、ｅＮＢ１０２は、ＳＦ＃０  ４１０及びＳＦ＃５  ４１５の最初のスロットの最後のシンボル内でＰＳＳ４２５を送信し、同一のスロットの第２の最後のシンボル内でＳＳＳ４２０を送信し、ここで、ＳＦは２個のスロットを含む。ＴＤＤの場合に、図４Ｂの一例に示すように、毎フレーム４５５でｅＮＢ１０２は、ＳＦ＃１  ４６５及びＳＦ＃６  ４８０の第３のシンボル内でＰＳＳ４９０を送信し、ＳＦ＃０  ４６０及びＳＦ＃５  ４７０の最後のシンボルでＳＳＳ４８５を送信する。上記の差は、ＵＥ１１４又はＵＥ１１６がセルでデュプレックス方式を検出するように許可する。ｅＮＢ１０２によりＰＳＳ及びＳＳＳを送信するために使用されるＲＥは、他の任意のＤＬシグナリングの送信に利用可能でない。
【００５０】
システム情報を伝達する論理チャンネルは、ブロードキャスト制御チャンネル(Broadcast  Control  Channel：ＢＣＣＨ)と称する。ＢＣＣＨは、ブロードキャストチャンネル(Broadcast  Channel：ＢＣＨ)と称されるトランスポートチャンネルあるいはＤＬ共有チャンネル(DL  Shared  Channel：ＤＬ-ＳＣＨ)にマッピングされる。ＢＣＨは、物理ＢＣＨ(ＰＢＣＨ)と称される物理チャンネルにマッピングされる。ＤＬ-ＳＣＨは、ＰＤＳＣＨにマッピングされる。マスタ情報ブロック(Master  Information  Block：ＭＩＢ）は、ＢＣＨを用いて送信され、これに対して他のシステム情報ブロック(ＳＩＢ)はＤＬ-ＳＣＨを用いて提供される。ＵＥ１１６がセルに対するＰＣＩＤを獲得した後に、ＵＥ１１６は、ＣＲＳを用いてＤＬチャンネル測定を遂行してＰＢＣＨ及びＰＤＳＣＨを復号化する。
【００５１】
ＭＩＢは、ＵＥ１１６がＤＬ-ＳＣＨにより提供される残りのシステム情報を受信するために要求される最小量のシステム情報を含む。特に、ＭＩＢは、所定のフォーマットを含み、ＤＬ帯域幅の情報、物理ハイブリッド-ＡＲＱインジケータチャンネル((Physical  Hybrid-ARQ  Indicator  Channel：ＰＨＩＣＨ)、３ビット）、システムフレーム番号(ＳＦＮ)(最上位ビット(Most  Significant  Bit：ＭＳＢ)８ビット)、及びＵＥ１１６がすべて‘０’のような所定の値を有するように決定できる(例えば、仮定する)１０個のスペアビットを含む(また、ＲＥＦ５を参照)。ＵＥ１１６は、順次に、一般的にＤＬ-ＳＣＨを受信するために要求されるＰＤＣＣＨを受信できるＰＨＩＣＨ構成が要求される。ＰＨＣＩＨ構成は、ＰＨＩＣＨを送信するために使用されるグループの個数とＰＨＩＣＨ送信のためのＳＦシンボルの個数を含む(また、ＲＥＦ３を参照)。ＵＥは、ＢＣＨ復号化後に間接的にＳＦＮの２個の最下位ビット(Least  Significant  Bit：ＬＳＢ)を獲得できる。ＰＢＣＨは、セルのＤＬオペレーティング帯域幅の中心部分で１.０８ＭＨｚの最小帯域幅を使用して送信され、各ＳＦがフレームの第１のＳＦである連続的なフレームの４個のＳＦの間に送信される。４０ｍｓｅｃタイミングは、明白な(explicit)シグナリングを必要とせずにむやみに(blindly)検出される。また、各ＳＦで、ＰＢＣＨ送信は、セルフ復号化可能であり(self-decodable)、良好なチャンネル条件を有するＵＥは、４個のＳＦより少ないＳＦでＰＢＣＨを検出できる。４個のフレームの周期から、フレーム内の各個別ＰＢＣＨ送信は、ＰＢＣＨセグメントと称する。ＰＢＣＨセグメントを復号化するために、ＵＥは、ＳＦＮの２個のＬＳＢを伝達するスクランブリングコードに対する４個の他の可能性に対応する４個の他の復号化動作を試みることができる。
【００５２】
ＵＥは、連続的なフレームでＰＢＣＨ受信を結合して連続するフレームが同一のＭＩＢを伝達することが提供されるＭＩＢに対する検出確率を改善させ得る。これは、連続的なフレームがフレームの同一の４倍のフレームに存在し、ＭＩＢが同一のＳＦＮを含むことを意味する。本発明の残りの実施形態に対して、ＳＦＮの２個のＬＳＢを伝達するスクランブリングコードに対する仮設に対応するように、そして同一の４倍のフレームに属する連続的なフレームで、ＵＥが復号化する前に連続するサブフレームにかけるＰＢＣＨ受信を結合し、複数の復号化動作を遂行する能力が別途に言及されない限り仮定される。
【００５３】
大部分のシステム情報は、異なるＳＩＢに含まれている(また、ＲＥＦ５を参照)。ｅＮＢ１０２のようなｅＮＢは、各ＤＬ-ＳＣＨを用いてＳＩＢを送信する。ＳＦでＤＬ-ＳＣＨにシステム情報の存在がシステム情報ＲＮＴＩ(System  Information  RNTI：ＳＩ-ＲＮＴＩ）でスクランブリングされるＣＲＣとともにコードワードを伝達する対応するＰＤＣＣＨの送信により指示される。ＳＩＢ１は、主にＵＥが各セルでキャンプオン(camp  on)されることが許可されるか否かに関連した情報を含む。ＴＤＤにおいて、ＳＩＢ１は、ＵＬ/ＤＬ  ＳＦの割り当て及び特定ＳＦの構成に関する情報を含む(また、ＲＥＦ１を参照)。ＳＩＢ１は、常にＳＦ＃５に送信される。ＳＩＢ１が送信されるＤＬ帯域幅でリソースブロック(ＲＢ)の集合が送信され、各ＲＢは、関連したトランスポートフォーマットの他の側面だけでなく、関連したＰＤＣＣＨでシグナリングされる場合に変更できる１２個の連続的なＲＥを含む。ＳＩＢ１は、残りのＳＩＢ(ＳＩＢ２及びそれ以上）の時間-ドメインスケジューリングに関する情報を含む。ＳＩＢ２は、ＵＬセル帯域幅、ランダム-アクセスパラメータ、及びＵＬ電力制御に関連したパラメータを含む、ＵＥがセルにアクセスするために獲得することが要求される情報を含む。ＳＩＢ３-ＳＩＢ１３は、主にセル再選択、隣接セル関連情報、公共警告メッセージに関連した情報を含む。
【００５４】
図５Ａは、本発明によるＰＢＣＨ送信器の一例を示す。図５Ａに示すＰＢＣＨ送信器の実施形態は但し説明のみのために提供される。他の実施形態が本発明の範囲から逸脱することなく使用され得る。
【００５５】
図５Ａに示すように、ｅＮＢ１０２は、まず１６ビットＣＲＣ５２０Ａを含むことによってＭＩＢ５１０Ａに対応するＢＣＨトランスポートブロックを処理し、レート-１/３テールバイティング畳み込みコード(tail-biting  convolutional  code)を用いてチャンネル符号化し(５３０Ａ)、レートマッチングし(５４０Ａ)、ビット-レベルスクランブリングする(５５０Ａ)。その次に、ｅＮＢ１０２は、ＱＰＳＫ変調(５６０Ａ)を符号化してスクランブリングされたＢＣＨトランスポートブロックに適用する。ｅＮＢ１０２が１個以上の送信器アンテナポートを含む場合、ｅＮＢ１０２は、送信器アンテナダイバーシティのようなマルチアンテナ送信(５７０Ａ）を用いてＢＣＨを送信できる。例えば、空間-周波数ブロック符号化(Space-Frequency  Block  Coding：ＳＦＢＣ）は、２個のアンテナポートの場合に使用でき、結合ＳＦＢＣ/空間周波数時間ダイバーシティ(ＦＳＴＤ)は４個のアンテナである場合に使用できる。ＰＢＣＨに対して使用される送信器アンテナダイバーシティ方式をむやみに検出することによって、ＵＥ１１６は、複数のセル特定アンテナポートと、また制御シグナリングに対して使用される送信器アンテナダイバーシティ方式を決定する。最後に、ｅＮＢ１０２は、リソースマッピング５８０Ａを適用し、ＰＢＣＨを送信する。
【００５６】
図５Ｂは、本発明によるＰＢＣＨ受信器を示す。図５Ｂに示すＰＢＣＨ受信器の実施形態は、ただ説明のみのために提供される。他の実施形態が本発明の範囲から逸脱することなく使用できる。
【００５７】
図５Ｂを参照すると、ＵＥ１１６は、フレームの最初のＳＦでｅＮＢ１０２により送信される信号を受信し(５１０Ｂ)、デマッパはｅＮＢ１０２がＰＢＣＨを送信するために使用されるリソース(ＲＥ)のデマッピングを実行し(５２０Ｂ)、復調器はＰＢＣＨシンボルを復調し(５３０Ｂ)、デスクランブラは、復調されたＰＢＣＨシンボルをデスクランブリングし(５４０Ｂ)、その次がレートマッチングユニット(５５０Ｂ)であり、最後にチャンネルデコーダ５６０Ｂ及びＣＲＣ抽出及びチェックユニット５７０Ｂである。ＣＲＣチェックが肯定である場合、ＵＥ１１６は、ＭＩＢを検出したと考慮し、そうでない場合、ＵＥ１１６は、新たなＰＢＣＨ復号化を試みる。新たなＰＢＣＨ復号化は、ＳＦＮのＬＳＢを伝達するスクランブリングコードに対する異なる仮設に対応するか、あるいは複数の連続するフレームで結合されたＰＢＣＨ受信に対応することができる。
【００５８】
図６は、本発明によるＰＢＣＨリソースマッピングの一例を示す。図６に示すＰＢＣＨリソースマッピングの実施形態は、説明のみのためのものである。他の実施形態が本発明の範囲から逸脱することなく使用できる。
【００５９】
図６に示すように、ｅＮＢ１０２は、４０ｍｓｅｃごとに、あるいは均等に４フレームごとにＭＩＢに対応するように１個のＢＣＨトランスポートブロックを送信する。したがって、ＢＣＨ送信時区間(Transmission  Time  Interval：ＴＴＬ）は４０ｍｓｅｃである。ｅＮＢ１０２は、符号化されたＢＣＨランスポートブロックを第１のフレーム６２０、第２のフレーム６３０、第３のフレーム６４０、及び第４のフレーム６５０のような４個の連続的はフレームで各フレームの第１のＳＦ６１０にマッピングする。ＰＢＣＨは、ＳＦ＃０の第２のスロットの最初の４個のシンボル内で送信され、７２個の中心ＲＥ(６個のＲＢ)６６０を通じて送信される。ＦＤＤで、ＰＢＣＨ送信はＳＦ＃０でＰＳＳ及びＳＳＳ送信後にすぐ続く。
【００６０】
図７は、本発明によるＳＦのＲＢでＣＲＳマッピングの一例を示す。図７に示すＣＲＳマッピングの実施形態は、説明のみのために提供される。他の実施形態が本発明の範囲から逸脱することなく使用され得る。
【００６１】
図７に示す実施形態において、３個のシンボルの制御領域７１０及び１１個のシンボルのデータ領域７２０を有するＳＦに対して、ＣＲＳは、Ｒ０  ７３０乃至Ｒ３  ７６０(すなわち、Ｒ０  ７３０、Ｒ１  ７４０、Ｒ２  ７５０、及びＲ３  ７６０を用いてアンテナポート０-３に対して各々マッピングされる。図６で、ＰＢＣＨ送信シンボルに対して、ＵＥ１１６は、第１及び第２のＳＦシンボルが１、又は２、あるいは４であることができるｅＮＢ１０２により使用されるＣＲＳアンテナポートの実際個数と関係なくＲ０  ７３０−Ｒ１  ７４０及びＲ２  ７５０-Ｒ３  ７６０の各々に対してＣＲＳを有する。
【００６２】
ＴＤＤ通信システムにおいて、フレームで一部ＳＦの通信方向はＤＬに存在し、一部の他のＳＦではＵＬに存在する。＜表１＞は、フレームの周期でのＴＤＤ  ＵＬ-ＤＬ構成を提供する。＜表１＞で、“Ｄ”はＤＬ  ＳＦを表し、“Ｕ”はＵＬ  ＳＦを表し、“Ｓ”はＤｗＰＴＳと呼ばれるＤＬ送信フィールド、保護期間(Guard  Period：ＧＰ)、及びＵｐＰＴＳと呼ばれるＵＬ送信フィールドを含む特定ＳＦを表す(また、ＲＥＦ１を参照)。全体区間が１個のＳＦ(１ｍｓｅｃ)である条件に対する特定ＳＦで各フィールドの区間に対していくつかの組み合せが存在する。
【００６３】
【表１】
0006501763.tif 000002
【００６４】
＜表２＞は、ＤｗＰＴＳ、ＧＰ、及びＵｐＰＴＳに対する複数のシンボルの側面での特定ＳＦ構成を提供する。
【００６５】
【表２】
0006501763.tif 000003
【００６６】
マシンタイプ通信(Machine-Type  Communication：ＭＴＣ)に対して、既に配置されている無線アクセス技術を使用し、コストを制御するために規模の経済を活用することが、新たな無線アクセス技術の生成よりは一層効率的である。ＭＴＣ  ＵＥは、一般的に低い動作電力消耗を要求し、少なく頻繁な小さいバースト送信で通信することが期待される。さらに、ＭＴＣ  ＵＥは、ビルの内部で深く配置されることができ、これは、一般的なセルカバレッジ空間に比べて顕著なカバレッジ向上(ＣＥ）を要求することがある。
【００６７】
ＭＴＣ  ＵＥが住居用建物の地下室、又は一般的に、従来のＵＥより顕著に大きい侵入損失を体験する位置に設置できるため、極端なカバレッジシナリオで、ＭＴＣ  ＵＥは、非常に低いデータレート、より大きい遅延許容、及び制限された移動性又は移動性のないことと同一の特性を有し、それによって一部メッセージ/チャンネルを使用せず、潜在的に動作可能にする。ＭＴＣは、ＦＤＤ及びＴＤＤシステムで両方ともにサポートされることが必要である。ＣＥ動作モードで、一般的に既存のＵＥだけでなくＭＴＣ  ＵＥに対して要求されるシステム機能は、同期、セル探索、電力制御、ランダムアクセスプロセス、チャンネル推定、測定報告、及びＤＬ/ＵＬデータ送信(ＤＬ/ＵＬリソース割り当てを包含）を含むと仮定される。すべてのＭＴＣ  ＵＥが必ずしもＣＥを必要としないか、あるいは同一の量のＣＥを必要としない。逆に、既存のＵＥもＣＥを要求することができる。したがって、物理チャンネルに対するＣＥが追加的なリソースを消耗し、それによって、さらに低い空間効率性を発生できるため、上記のようなＣＥを要求するＵＥに対してのみ関連される技術をイネーブルさせることが可能でなければならない。
【００６８】
カバレッジ向上は、各チャンネルの送信のために拡張された反復を基にしないと、一般的に達成することができない。上記のような反復は、同一の情報が、ＣＥが必要でない動作に比べてより大きい周波数及び/又は時間リソースで送信されるため、深刻な追加的なオーバーヘッドをもたらす。ＣＥ-ＰＢＣＨと呼ばれるＰＢＣＨに対するＣＥの場合、ＣＥ-ＭＩＢと呼ばれる各ＭＩＢがよく変更されると期待されないため、ＣＥ-ＰＢＣＨ反復に関連されるオーバーヘッドは、ＣＥ-ＢＰＣＨ反復を間欠的に送信されることで緩和され得る。例えば、ＣＥ-ＰＢＣＨは、(既存のＰＢＣＨのように４個のフレームにかけて同一の送信特性に従う)４個のフレームの区間でフレームのＤＬ  ＳＦで反復され、その後、ｅＮＢ１０２のようなｅＮＢは１０００個のフレーム又は１０秒間の周期性を発生する次の９９６個のフレームに対する送信を停止できる。しかしながら、ＵＥは、ＣＥ-ＰＢＣＨを検出する前にＳＦＮを知らないため、ｅＮＢ１０２がＣＥ-ＰＢＣＨを送信するフレームを予めわからない。その後、平均的に、ＵＥは、ＣＥ-ＰＢＣＨを検出する前に少なくとも５秒の間にＣＥ-ＰＢＣＨ検出を試み、それによってＣＥ-ＰＢＣＨを検出するために各試しで実質的な電力消耗をもたらす。
【００６９】
ＣＥ-ＰＢＣＨ送信の反復が予め決定され、あるいは仮設の予め決定されている集合に対する復号化結果に基づいて盲目的に決定できるリソースの集合にマッピングされることが必要である。ＰＢＣＨと同様に、任意の場合に、リソースマッピングは、ＵＥがＣＥ-ＰＢＣＨを検出することを可能にするために、ＣＥ-ＰＢＣＨ反復の送信のために定義されることが必要である。ＰＢＣＨ送信は、(同一のＣＲＣを有することを含む)ＭＩＢとＣＥ-ＭＩＢが同一の情報コンテンツを伝達する場合、ＣＥ-ＰＢＣＨ反復のうちいずれか一つであり得る。ＣＥ-ＰＢＣＨ反復のリソースマッピングが簡素化される送信器又は受信器の実現を可能にし、ＵＥがＣＥ-ＰＢＣＨ反復の送信が時区間で存在するか否かを判定するようにし、ＣＥ-ＰＢＣＨのカバレッジを向上させる効率的なメカニズムを可能にするのに有利である。
【００７０】
例えば、１５ｄＢデシベル(ｄＢ）のように高いＣＥがサービングｅＮＢに対する深刻な電波損失を有する環境に位置されているＵＥに対して要求されるため、既存の設計は、一般的にＵＥのすべての配置シナリオに対して、特にＭＴＣ  ＵＥに対して要求されるＣＥレベルを満足させることができない。その上、要求されるＣＥレベルは、例えばＵＥの位置又はＵＥ受信器アンテナの個数に基づくことのように他のＵＥに対して変わることができる。それだけでなく、例えば、ｅＮＢ送信電力又は関連したセルサイズに基づいて異なるｅＮＢに対して変わることができる。
【００７１】
本発明の実施形態は、反復を使用してＣＥ-ＰＢＣＨを送信するための候補リソースマッピングを提供し、ｅＮＢからの他のシグナリングの存在を考慮する。本発明の実施形態は、時区間でｅＮＢがＣＥ-ＰＢＣＨを送信するか否かをＵＥが判定するメカニズムを提供する。さらに、本発明の実施形態は、ＣＥ-ＰＢＣＨ反復に対するリソースの活用を最大化するメカニズムを提供する。
【００７２】
次のような実施形態は、ＭＴＣ  ＵＥに制限されず、既存の動作によりサポートされるカバレッジを超過するカバレッジでの向上を要求するＵＥの任意のタイプにも適用できる。その上、上記説明がノーマルサイクリックプレフィックス(Cyclic  Prefix：ＣＰ)を有するシンボルを有するＳＦ構造を考慮しても、上記説明は、拡張されたＣＰを有するシンボルを有するＳＦ構造にも適用され得る(また、ＲＥＦ１を参照)。
【００７３】
ＣＥ-ＰＢＣＨセグメントの送信は、ＦＤＤシステム又はＴＤＤシステムに対して関連されるＣＥレベルを提供するためにフレーム内で複数回反復できる。各ＣＥ-ＰＢＣＨセグメントは、ＰＢＣＨセグメントよりはフレームでより多くの個数のＳＦを通じて送信できる。ＣＥ-ＭＩＢが(同一のＣＲＣを含む)同一の情報コンテンツをＭＩＢに伝達するか否かに関係なく、本発明は、ｅＮＢがＣＥ-ＰＢＣＨ反復を送信するために使用するＲＥの個数は、ｅＮＢがＰＢＣＨを送信するために使用するＲＥの個数と同一であることを考慮する。それにも関わらず、これは、本発明の実施形態に対する制限でなく、どんな個数のＲＥでもｅＮＢが各ＣＥ-ＰＢＣＨ反復を送信するために使用され得る。
【００７４】
ＤＬオペレーティングＢＷの６個の中間ＲＢの間、そしてｅＮＢアンテナポートからのＣＲＣ送信のために予約されているＲＥを含む４個のＯＦＤＭシンボルでの望ましいＰＢＣＨ送信で、ＭＩＢを送信するために使用されるＲＥの個数は２４０であり、６個のＲＢ及び４個のＯＦＤＭシンボル間の２８８個のＲＥのうち４８個のＲＥは、４個のｅＮＢアンテナポートからのＣＲＳ送信のために予約されている(ＣＲＣ送信のためのｅＮＢアンテナポートの実際個数が１又は２である場合でも)。これは、復調前又は復調後に、受信されるシンボルレベルでのＣＥ-ＰＢＣＨ反復の結合を可能にし、したがって異なる符号化レートを有するＣＥ-ＰＢＣＨ反復を結合する必要なしに簡単なＵＥ受信器動作を可能にする。
【００７５】
特定の実施形態において、ＣＥ-ＰＢＣＨ反復は、ＳＦで４個のＯＦＤＭシンボルで発生する。ｅＮＢ１０２のようなｅＮＢがＳＦで６個のＲＢの間のＣＥ-ＰＢＣＨ反復を送信するために使用する任意の他の４個のＯＦＤＭシンボルでのＣＲＳ送信のために予約されるＲＥの個数は、ＳＦで各ＯＦＤＭシンボルの選択に基づいて４８と異なることができる。各ＣＥ-ＰＢＣＨ反復に対して、同一の個数のＣＥ-ＭＩＢ変調されたシンボルを提供するために、ＰＢＣＨ送信のための４個のＯＦＤＭシンボルよりＣＲＳのために予約されているより少ない個数のＲＥを含む各４個のＯＦＤＭシンボルの一部ＲＥはＣＥ-ＭＩＢ変調シンボルを送信するために使用されず、このようなＲＥは禁止されたＲＥと称される。
【００７６】
第１のマッピング接近方式で、禁止されたＲＥは、ＣＲＳに対して予約されているＲＥとして同一のＯＦＤＭシンボルで予約される。これは、ｅＮＢ１０２が、他の場合にはＣＲＳを送信するために使用される電力を増加させるために、あるいは禁止されたＲＥのＯＦＤＭシンボルでのＣＥ-ＭＩＢを送信するために使用される電力を増加させるために禁止されたＲＥで信号を送信するために割り当てられる各電力を使用することを可能にする。したがって、ＮCE-MIBをＣＥ-ＭＩＢ変調シンボルをマッピングするために使用されるＲＥの個数で表すようにし、例えばＮCE-MIB＝２４０，Ｎquadを４個のＯＦＤＭシンボルでのＲＥを表すようにし、ＣＲＳのために予約されているＲＥを除いた後の、禁止されたＲＥは、Ｎquad＝ＮCE-MIB＋２４である場合、同一のＯＦＤＭシンボルでＣＲＳ  ＲＥの次に位置する。
【００７７】
図８は、本発明による第１のＳＦ及び第２のＳＦでＣＥ-ＰＢＣＨ反復に対するＲＥの第１のマッピングを示す。図８に示すＲＥマッピングの実施形態は、説明のみのために提供される。他の実施形態が本発明の範囲から逸脱することなく使用可能である。
【００７８】
図８を参照すると、ＵＥ１１４のようなＵＥは、ＳＦ＃０  ８０２及びＳＦ＃１  ８０４で最初の３個のＯＦＤＭシンボル及びＰＳＳ/ＳＳＳ８０６を送信するために使用されるＯＦＤＭシンボルは、ＣＥ-ＰＢＣＨ反復を送信するために使用されないと決定する(例えば、仮定する)。例えば、このような３個のＯＦＤＭシンボルのうち一部又は全部はＤＬ制御シグナリングを送信するために使用される。各ＣＥ-ＰＢＣＨ反復は、既存信号ＰＳＳ/ＳＳＳあるいはチャンネル(ＤＬ制御チャンネル又はＰＢＣＨの送信に割り当てられるＯＦＤＭシンボルを除外した後の連続する４個のＯＦＤＭシンボルの間に存在する。ＣＥ-ＭＩＢが同一のＣＲＣを含む、ＭＩＢと同一のコンテンツを伝達する場合、ＰＢＣＨ送信８１０は、ＣＥ-ＰＢＣＨ送信の反復(デフォルト反復)で考慮できる。ＣＥ-ＭＩＢがＭＩＢと同一のコンテンツを伝達しない場合、ＰＢＣＨ送信８１０は、ＣＥ-ＰＢＣＨの反復で考慮されない。ＣＥ-ＰＢＣＨ送信の第１の反復は、ＯＦＤＭシンボル８２０及びＯＦＤＭシンボル８２２を含む。ＣＥ-ＰＢＣＨ送信の第２の反復は、ＯＦＤＭシンボル８３０及びＯＦＤＭシンボル８３２を含む。ＣＥ-ＰＢＣＨ送信の第３の反復は、ＯＦＤＭシンボル８４０を含む。最後に、フレームの最初に２個のＳＦでＣＥ-ＰＢＣＨ送信の第４の反復はＯＦＤＭシンボル８５０を含む。ＣＥ-ＰＢＣＨ送信の第２の反復及び第４の反復は、ＣＲＳ送信のためのＲＢ別に４個より少ないＲＥ(あるいは６個のＲＢ別に２４個のＲＥ）を含む。各個数の禁止されたＲＥ８６０は、ＣＲＳを含むＯＦＤＭシンボルに含まれる。
【００７９】
第２のマッピング接近方式で、禁止されたＲＥはＣＲＳを送信するために予約されているＲＥを含まない一つ以上のＯＦＤＭシンボルに位置される。これは、ｅＮＢ１０２が、他の場合にＣＥ-ＭＩＢシンボルを送信するために使用される電力を増加させるために禁止されたＲＥで信号を送信するために割り当てられる各電力を使用することを可能にする。ＣＲＳを含まないＯＦＤＭシンボルで禁止されたＲＥを割り当てる理由は、ＣＲＳを含むＯＦＤＭシンボルで、送信電力は、上記のようなＯＦＤＭシンボルのように禁止されたＲＥが存在するか否かに関係なく増加する必要があるためである。禁止されたＲＥは、ＣＲＳ  ＲＥと同一の周波数位置に配置され、Ｎquad＝ＮCE-MIB＋２４である場合、予約されているＣＲＳ  ＲＥを有するＯＦＤＭシンボルの次のＯＦＤＭシンボルに配置され得る。これは、ＣＲＳのために予約されるＲＥの実際パターンと同一のＣＲＳのために予約されるＲＥの仮想パターンを生成し、ＵＥは、ＣＥ-ＭＩＢ変調シンボルがＣＲＳのために予約されるＲＥ及び禁止されたＲＥ両方ともにマッピングされないと仮定する。
【００８０】
図９Ａは、本発明による第１のＳＦ及び第２のＳＦでＣＥ-ＰＢＣＨ反復に対するＲＥの第２のマッピングを示す。図９Ａに示すマッピングの実施形態は、説明のみのために提供される。他の実施形態が本発明の範囲から逸脱することなく使用することができる。
【００８１】
図９Ａに示す実施形態で、図８と同様に、ＵＥは、ＳＦ＃０  ９０２及びＳＦ＃１  ９０４で最初の３個のＯＦＤＭシンボル及びＰＳＳ/ＳＳＳ９０６を送信するために使用されるＯＦＤＭシンボルは、ＣＥ-ＰＢＣＨ反復を送信するために使用されないと判定する(一例で、仮定する)(例えば、このような最初の３個のＯＦＤＭシンボルのうち一部あるいは全部はＤＬ制御シグナリングを送信するために使用され得る)。各ＣＥ-ＰＢＣＨ反復は、連続的な４個のＯＦＤＭシンボルの間(既存信号(ＰＳＳ/ＳＳＳ)又はチャンネル(ＤＬ制御チャンネル又はＰＢＣＨ）の送信に割り当てられるＯＦＤＭシンボルを除外した後)に存在する。ＣＥ-ＭＩＢが同一のＣＲＣを含む、ＭＩＢと同一のコンテンツを伝達する場合、ＰＢＣＨ送信９１０は、ＣＥ-ＰＢＣＨの反復(デフォルト反復)で考慮できる。ＣＥ-ＭＩＢがＭＩＢと同一のコンテンツを伝達しない場合、ＰＢＣＨ送信９１０は、ＣＥ-ＰＢＣＨ送信の反復で考慮されることができない。ＣＥ-ＰＢＣＨ送信の第１の反復は、ＯＦＤＭシンボル９２０及びＯＦＤＭシンボル９２２を含む。ＣＥ-ＰＢＣＨ送信の第２の反復は、ＯＦＤＭシンボル９３０及びＯＦＤＭシンボル９３２を含む。ＣＥ-ＰＢＣＨ送信の第３の反復は、ＯＦＤＭシンボル９４０を含む。最後に、フレームの最初の２個のＳＦでＣＥ-ＰＢＣＨ送信の第４の反復は、ＯＦＤＭシンボル９５０を含む。ＣＥ-ＰＢＣＨ送信の第２の反復及び第４の反復はＣＲＳ送信のためのＲＢ別に４個より少ないＲＥ(あるいは６個のＲＢ別に２４個のＲＥ）を含む。各個数の禁止されたＲＥ９６０は、ＣＲＳを含まないＯＦＤＭシンボルに分散されている。禁止されたＲＥの配置は、ＰＢＣＨ送信間及びｅＮＢ１０２がＣＥ-ＰＢＣＨを送信するために使用する４個のＯＦＤＭシンボル間と同一のＣＥ-ＰＢＣＨ反復を送信するために使用されるＲＥに対して同一のパターンを生成し、２個のＯＦＤＭシンボルでＲＢ別にすべてのＲＥがＣＥ-ＰＢＣＨを送信し、これに対して、他の２個のＯＦＤＭシンボルでＰＢＣＨの場合のように同一のＲＥがＣＥ-ＰＢＣＨを送信するために使用されないようになされ得る。
【００８２】
ＣＥ-ＰＢＣＨ反復の送信は、ＵＥがｅＮＢ１０２からシグナリングを受信するＤＬ  ＳＦでサポートされることを要求するため、そしてＵＥのうち少なくとも一部がＣＥ-ＰＢＣＨ反復の送信をわからないため、ＣＥ-ＰＢＣＨ反復の送信からｅＮＢ１０２に接続されているＵＥ(ＲＲＣ_ＣＯＮＮＥＣＴＥＤ  ＵＥ、ＲＥＦ５を参照）の動作に対する影響を最小化することが有利である。その上、特定の実施形態において、ｅＮＢ１０２は、ＵＥがチャンネル媒体又は干渉を測定することを可能にするためにＣＳＩ-ＲＳを送信する。ＵＥは、上位階層シグナリングによりＳＦインデックス及びＣＳＩ-ＲＳ送信に対する周期性のようなＣＳＩ-ＲＳ送信パラメータの構成及び関連した構成(アンテナポートの個数、ＣＳＩ-ＲＳパターン)を知るようになる。上位階層シグナリングは、ＲＲＣシグナリングであり得る(ＲＥＦ３及びＲＥＦ５を参照)。問題は、ｅＮＢ１０２が中間６個のＲＢでＣＳＩ-ＲＳを送信するために使用するＲＥと、ｅＮＢ１０２がＣＥ-ＰＢＣＨ反復を送信するために使用するＲＥが衝突する可能性があるため、ＣＥ-ＰＢＣＨ反復を含むＳＦの一部ＯＦＤＭシンボルでＣＳＩ-ＲＳ送信が発生する場合、及びｅＮＢ１０２に対するＲＲＣ連結を有する少なくとも一部の第１のＵＥがＣＥ-ＰＢＣＨ送信の存在がわからなく、ＣＥ-ＰＢＣＨを復号化することを試みるＵＥ１１４のような、一部の他の第２のＵＥがＣＳＩ-ＲＳ送信の存在がわからない場合に発生できる。
【００８３】
特定の実施形態において、ｅＮＢ１０２は、ＣＥ-ＰＢＣＨ反復の存在によりＣＳＩ-ＲＳ送信を変更しないが、その代わりに、ｅＮＢ１０２は、ＣＳＩ-ＲＳが送信されるＲＥでＣＥ-ＰＢＣＨ反復の送信をパンクチャリングする。送信をパンクチャリングすることは、第１のＵＥの動作が影響を受けず、ＵＥ１１４によるＰＢＣＨの受信信頼度において少ない低下が期待可能にすることを保証する。
【００８４】
図９Ｂは、本発明によるＣＥ-ＰＢＣＨ送信がＣＳＩ-ＲＳパターンに基づいて第２のＳＦでいくつかのＲＥでパンクチャリングされるフレームの第１のＳＦ及び第２のＳＦでＣＥ-ＰＢＣＨ反復に対するＲＥの実施形態の割り当てを示す。図９Ｂに示す割り当ての実施形態は、ただ説明のみのために提供される。他の実施形態が本発明の範囲から逸脱することなく使用され得る。
【００８５】
図９Ｂを参照すると、ＣＥ-ＰＢＣＨ反復に対する送信は、図９Ａでの説明と同一の方式でサポートされ、類似した表記が適用される。しかしながら、図９Ａとは異なり、図９Ｂに示す実施形態では、ｅＮＢ１０２は、ＣＳＩ-ＲＳ送信のために使用されるＲＥ９６０ＢでＣＥ-ＰＢＣＨ送信をパンクチャリング(停止)するが、ｅＮＢ１０２によるこのような動作は、ｅＮＢ１０２がＲＥ９６０Ｂで実際にＣＥ-ＰＢＣＨを送信すると仮定するＵＥ１１４には通知されない。
【００８６】
第２の接近方式で、ｅＮＢ１０２によるＣＥ-ＰＢＣＨ反復の送信は、ｅＮＢ１０２により構成される有効ＣＳＩ-ＲＳパターンにより所定のＳＦの所定のＯＦＤＭシンボルでＲＥを除外する。これは、ＵＥ１１４によるＣＥ-ＰＢＣＨの受信信頼度が影響を受けないことを保証するが、第１のＵＥのＣＳＩ測定正確度には深刻な影響があり得る。
【００８７】
図９Ｃは、本発明によるＣＥ-ＰＢＣＨ送信がＣＳＩ-ＲＳパターンに基づいて第２のＳＦで一部のＲＥで禁止されるフレームの第１のＳＦ及び第２のＳＦでＣＥ-ＰＢＣＨ反復に対するＲＥの実施形態の割り当てを示す。図９Ｃに示す割り当ての実施形態は、ただ説明のみのために提供される。他の実施形態が本発明の範囲から逸脱することなく使用され得る。
【００８８】
図９Ｃに示す実施形態において、ＣＥ-ＰＢＣＨ反復に対する送信は、図９Ａで説明するような方式でサポートされ、類似した表記が適用される。しかしながら、図９Ａとは異なり、図９Ｃに示す実施形態では、ＣＥ-ＰＢＣＨ送信に対して禁止されるＲＥ９６０Ｃが有効ＣＳＩ-ＲＳパターンに対応するように追加的に選択される。さらに、図９Ｃに示す実施形態において、各４個のＯＦＤＭシンボルの整列は各４個がＣＲＳのために予約され、あるいは禁止されるＲＥと同一の個数のＲＥを含むように図６に対して再配列される。
【００８９】
一実施形態において、第２のマッピング接近方式及び図９Ａのように禁止されたＲＥの位置に対して、ＣＥ-ＭＩＢ反復の正確なコピーがＣＲＳ送信のために予約されているか、あるいは禁止されているＲＥの存在によりＣＥ-ＭＩＢ変調シンボルの４個のＯＦＤＭシンボルへのマッピングを再整列することによってなされ得る。各ＣＥ-ＰＢＣＨ反復に対する方式と同一の方式でＣＥ-ＭＩＢ変調シンボルを４個のＯＦＤＭシンボルに対するマッピングは、ＵＥ１１４が、ｅＮＢ１０２が各ＳＦ又はフレームでＣＥ-ＰＢＣＨを送信するか否かに対して簡単に判定することを可能にする。
【００９０】
図１０は、本発明によるＯＦＤＭシンボルがＣＲＳ送信のために予約にされているＲＥを含むか、あるいは禁止されるＲＥを含むかに基づいてＣＥ-ＰＢＣＨ反復を送信するために使用されるＯＦＤＭシンボルの実施形態のインデクシングを示す。図１０に示すインデクシングの実施形態は、ただ説明のみのためのものである。他の実施形態が本発明の範囲から逸脱することなく使用され得る。
【００９１】
ＰＢＣＨ１０１０を送信するためのＯＦＤＭシンボルと同一のＯＦＤＭシンボルの構造がＣＥ-ＰＢＣＨ反復に対して維持される。これは、ＣＥ-ＰＢＣＨ反復のＣＥ-ＭＩＢ変調シンボルのために使用される４個のＯＦＤＭシンボルで、ＯＦＤＭシンボルのインデクシングが時間でのＯＦＤＭシンボルの位置に従うが、ＯＦＤＭシンボルがＣＲＳ送信のために予約されてＲＥを含むか、あるいは禁止されるＲＥを含むかに従うことを意味する。例えば、４個のＯＦＤＭシンボルで第１のＣＥ-ＰＢＣＨ反復１０２０，１０２２に対して、ＣＲＳ送信のために予約されているＲＥを含む第１のＯＦＤＭシンボルは、第１のＯＦＤＭシンボルが４個のＯＦＤＭシンボルのうち第２のシンボルであっても、ＣＥ-ＭＩＢ変調シンボルを送信するために(‘１’で示す)第１のＯＦＤＭシンボルでインデクシングされる。同様に、ＣＲＳ送信のために予約されるＲＥを含む第２のＯＦＤＭシンボルは、第２のＯＦＤＭシンボルが４個のＯＦＤＭシンボルのうち第３のＯＦＤＭシンボルであってもＣＥ-ＭＩＢ変調シンボルを送信するために(‘２’で示す)第２のＯＦＤＭシンボルでインデクシングされる。さらに、ＣＲＳ送信のために予約されるＲＥ又は禁止されたＲＥを含まない４個のＯＦＤＭシンボルで第１及び第４のＯＦＤＭシンボルは、ＣＥ-ＭＩＢ変調シンボルを送信するための(‘３’で示す)第３及び(‘４’で示す)第４のＯＦＤＭシンボルでインデクシングされる。同一のインデクシングが４個のＯＦＤＭシンボルで第２のＣＥ-ＰＢＣＨ反復１０３０，１０３２と、第３のＣＥ-ＰＢＣＨ反復１０４０及び第４のＣＥ-ＰＢＣＨ反復１０５０に対して適用され、ここでＣＲＳ送信のために予約されているＲＥ及び禁止されたＲＥを含むＯＦＤＭシンボルが最初にインデクシングされ、ＣＲＳ  ＲＥ又は禁止されたＲＥを含まないＯＦＤＭシンボルは、ＣＥ-ＭＩＢ変調シンボルのために２番目にインデクシングされる。４個のＯＦＤＭシンボルで、ＯＦＤＭシンボルをインデクシングする同一の原理が、ｅＮＢ１０２がＣＥ-ＰＢＣＨ反復を送信するフレームの残りのＳＦに直接に適用できる。
【００９２】
ＣＥ-ＰＢＣＨ反復の送信のために有用なＯＦＤＭシンボルの集合に基づき、４個のＯＦＤＭシンボルはＣＲＳのために予約されているＲＢ別に８個を超えるＲＥを含むことができる。図８又は図９Ａに示すように、ＣＥ-ＰＢＣＨ反復を送信するために利用可能なＲＥの個数は、ＰＢＣＨ又はＣＥ-ＰＢＣＨ反復を送信するために有用なＲＥの個数より少なく、それによって、図１０に示すように、ＣＥ-ＰＢＣＨ反復に対するより高い符号化レート及び減少した受信信頼性及びＰＢＣＨを送信するために使用されることと同一の構造を有することに対する不可能をもたらす。このような短所を防止するために、ｅＮＢ１０２は、ＣＥ-ＰＢＣＨ反復を送信するためにＣＲＳに対する予約されているＲＢ別に８個を超えるＲＥを含む４個の連続するＯＦＤＭシンボルを使用する場合、４個のＯＦＤＭシンボルは、４個の連続するＯＦＤＭシンボルにより形成されないが、ＣＲＳのために予約されているＲＢ別に８個のＲＥに対して発生する４個のＯＦＤＭシンボルにより形成され得る。
【００９３】
図１１は、本発明による、ＣＲＳに対して予約されたＲＢ別８個のＲＥに対して発生するＣＥ-ＰＢＣＨ反復に対する４個のＯＦＤＭシンボルの第１の実施形態の形成を示す。図１１に示すＣＥ-ＰＢＣＨ反復に対する４個のＯＦＤＭシンボルの形成の実施形態は、ただ説明のみのために提供される。他の実施形態が本発明の範囲から逸脱することなく使用され得る。
【００９４】
ＳＦ＃５で４個のＯＦＤＭシンボルにより形成されるＣＥ-ＰＢＣＨ反復の送信に対して、ＵＥ１１４は、３個のＯＦＤＭシンボル１１０２及びＰＳＳ/ＳＳＳを送信するために使用されるＯＦＤＭシンボル１１０４は、ｅＮＢ１０２がＣＥ-ＰＢＣＨ反復を送信するために使用されないと判定する(例えば、仮定する)。ＣＥ-ＰＢＣＨ反復のための４個のＯＦＤＭシンボルが連続して利用可能なＯＦＤＭシンボルにより形成される場合、反復ｉは、ＣＲＳのために予約されるＲＢ当たり１２個のＲＥに対して発生し、その一方で、反復ｉ＋１は、ＣＲＳのために予約されるＲＢ当たり４個のＲＥに対して発生する。各ＣＥ-ＰＢＣＨ反復でＣＲＳのために予約されるＲＢ当たり同一の個数のＲＥを有するようにするために、第１のＣＥ-ＰＢＣＨ反復のための４個のＯＦＤＭシンボルでＣＲＳのために予約されるＲＢ当たり１２個のＲＥを招くＯＦＤＭシンボルは、そうでない場合、ＣＲＳのために予約されるＲＢ当たり４個のＲＥを有する第２のＣＥ-ＰＢＣＨ反復に対して含まれる。スキップしたＯＦＤＭシンボルの代わりに、ＣＲＳのために予約されたＲＥを含まない第１の次のＯＦＤＭシンボルが含まれる。したがって、４個のＯＦＤＭシンボルを形成する場合の上記制限を使用し、反復ｉを送信するためにｅＮＢ１０２により使用されるＯＦＤＭシンボルは、(ＯＦＤＭシンボル１１２０をスキップする間に）ＯＦＤＭシンボル１１１０、ＯＦＤＭシンボル１１１２、及びＯＦＤＭシンボル１１１４を含み、一方で、ｅＮＢ１０２により反復ｉ＋１を送信するために使用するために使われるＯＦＤＭシンボルは、(ＯＦＤＭシンボル１１１４及びＯＦＤＭシンボル１１２２の代わりに)ＯＦＤＭシンボル１１２０，１１２２を含む。
【００９５】
ＣＥ-ＰＢＣＨ送信のための複数のレベルの複数の反復が存在する場合、より少ない反復を有する第１のＣＥレベルに対する反復用リソースは、より多くの反復を有する第２のレベルに対する反復用リソースに含まれ得る。その後、４個のＯＦＤＭシンボルの形成は、連続する手続きで遂行され、ここで、４個のＯＦＤＭシンボルは、第１のＣＥレベルでの反復のためのリソースに対してまず形成され、その後に第２のＣＥレベルでの反復のためのリソースに対して形成され得る。例えば、ＣＥ-ＰＢＣＨ反復に対する第１のＣＥレベルは、但しＳＦ＃０とＳＦ＃５のみを含むことができ、これに対して第２のＣＥレベルは、ＳＦ＃１及びＳＦ＃６を追加して含むことができる。その次に、４個のＯＦＤＭシンボルは、まず第１のＣＥレベルに対する反復用ＳＦ＃０及びＳＦ＃５で全体利用可能なＯＦＤＭシンボルを考慮して形成され、ｅＮＢ１０２が第２のＣＥレベルに対して反復を使用する場合、追加的な４個のＯＦＤＭシンボルがＳＦ＃１及びＳＦ＃６で全体利用可能なＯＦＤＭシンボルを考慮して形成される。例えば、反復に対する第１のＣＥレベルは、ＦＤＤ及びＴＤＤに共通のリソースに存在し、これに対して反復に対する第２のＣＥレベルは、ＦＤＤのみに対して追加的なリソースに存在することができる。
【００９６】
特定の実施形態において、４個のＯＦＤＭシンボル及びＤＬオペレーティングＢＷの中間６個のＲＢは、ただ単一ＣＥ-ＰＢＣＨ反復に対するＣＥ-ＭＩＢ変調シンボルを含むことに制限されるものではない。
【００９７】
ＰＢＣＨ送信に対しては、６個のＲＢで４個のＯＦＤＭシンボルに対してＭＩＢ変調シンボルのみを含むマッピングが適合する。これは、６個のＲＢの一部ＲＥ及び４個のＯＦＤＭシンボルのうちいずれか一つのＯＦＤＭシンボルで他のチャンネルからの変調シンボルをマッピングすることは、意味のある利点を提供せず、より複雑なｅＮＢ送信器又はＵＥ受信器を招くためである。しかしながら、ＣＥ-ＰＢＣＨ反復に対して、同一の情報が複数のＯＦＤＭシンボルを通じて６個のＲＢで送信される場合、与えられた４個のＯＦＤＭシンボルが同一のＣＥ-ＰＢＣＨ反復に対応するようにＣＥ-ＭＩＢ変調シンボルを含むことは必須ではない。その代わり、フレームの１個又はそれ以上のＳＦを通じるＣＥ-ＰＢＣＨ反復の送信に利用可能な全体
【００９８】
【数１】
0006501763.tif 000004
【００９９】
個のＲＥに対して、
【０１００】
【数２】
0006501763.tif 000005
【０１０１】
個のＣＥ-ＰＢＣＨ反復がサポートされ、
【０１０２】
【数３】
0006501763.tif 000006
【０１０３】
個のＲＥのうち
【０１０４】
【数４】
0006501763.tif 000007
【０１０５】
個の最後のＲＥは、ＣＥ-ＭＩＢ変調シンボルを伝達する最初の
【０１０６】
【数５】
0006501763.tif 000008
【０１０７】
個のＲＥを含む部分反復をサポートし、
【０１０８】
【数６】
0006501763.tif 000009
【０１０９】
は、それより小さい整数に四捨五入する‘フロア'関数である。
【０１１０】
ＣＥ-ＰＢＣＨ反復に対するＣＥ-ＭＩＢ変調シンボルを伝達する
【０１１１】
【数７】
0006501763.tif 000010
【０１１２】
個のＲＥは、ＣＲＳ送信のために(最大４個の各アンテナポートを仮定する場合)あるいはＰＳＳ/ＳＳＳ送信のために予約されないＲＥを除外せずに(すなわち、ＣＲＳ又はＰＳＳ/ＳＳＳ送信のために予約されるＲＥのみを除外し、ＣＳＩ-ＲＳ送信のために予約されるＲＥを除外せずに)順次にフレームでＣＥ-ＰＢＣＨ送信に利用可能な全体
【０１１３】
【数８】
0006501763.tif 000011
【０１１４】
個のＲＥのうち
【０１１５】
【数９】
0006501763.tif 000012
【０１１６】
個のＲＥにマッピングされる。インデックスｒを有する全体ＣＥ-ＰＢＣＨ反復及びフレームで
【０１１７】
【数１０】
0006501763.tif 000013
【０１１８】
図１２は、本発明による、フレームでＣＥ-ＰＢＣＨ送信のために利用可能なＲＥの全体個数に対するＣＥ-ＰＢＣＨ反復の一例の順次マッピングを示す。図１２に示す順次マッピングの実施形態は、ただ説明のみのために提供される。他の実施形態が本発明の範囲から逸脱することなく使用できる。
【０１１９】
ＣＥ-ＰＢＣＨ送信の反復がフレームのＳＦ＃０のような第１のＳＦ１２０４及びＳＦ＃５のような第２のＳＦ１２０６で中間６個のＲＢ１２０２で考慮される。ＵＥ１１４は、ｅＮＢ１０２がＤＬ制御シグナリング１２１０，１２１２を送信するために使用すると仮定する各ＳＦの開始で複数のＯＦＤＭシンボルを除外し、ＰＳＳ/ＳＳＳ１２１４、ＰＢＣＨ１２１６、及びＣＲＳの送信のために予約されるＲＥを除外する場合、６個のＲＢでＣＥ-ＰＢＣＨ送信の反復のための全体ＲＥの個数は
【０１２０】
【数１１】
0006501763.tif 000014
【０１２１】
(例えば、反復１  １２２０、反復２  １２３０、反復３  １２４０、及び反復４  １２５０)。ＭＩＢとＣＥ-ＭＩＢが同一のＣＲＣを含む同一の情報コンテンツを伝達する場合、ＵＥ１１４は、ＰＢＣＨ送信をＣＥ-ＰＢＣＨ送信の追加的な反復で考慮することができる。追加的な
【０１２２】
【数１２】
0006501763.tif 000015
【０１２３】
個のＲＥが部分ＣＥ-ＰＢＣＨ反復５  １２６０をサポートするために使用できる。ＣＥ-ＰＢＣＨ反復がフレームの２個を超えるＳＦで拡張される場合、追加的な全体反復が実現できる。したがって、図８、図９Ａ、図９Ｂ、又は図１０のように利用可能なＲＥに対するＣＥ-ＰＢＣＨ反復のマッピングとは違い、図１２で利用可能なＲＥに対するＣＥ-ＰＢＣＨ反復のマッピングは、図１２でのＣＥ-ＰＢＣＨ反復のマッピングは禁止されたＲＥを含まず、各４個のＯＦＤＭシンボルが１個のＣＥ-ＰＢＣＨ反復のみを含む必要がないため、より多くのＣＥ-ＰＢＣＨ反復をサポートできる。
【０１２４】
図１３Ａは、本発明によるＣＥ-ＰＢＣＨ送信器を示す。図１３Ａに示すＣＥ-ＰＢＣＨ送信器１３００の実施形態は、説明のみのために提供される。他の実施形態が本発明の範囲から逸脱することなく使用され得る。
【０１２５】
ＣＥ-ＰＢＣＨ送信器１３００は、ＲＥマッピングユニットを除き、図５を参照して説明したようなプロセッシングユニットと同一であり、あるいは類似したプロセッシングユニットを含む。本発明の第１のマッピング接近方式に対して、ｅＮＢ１０２は、ＤＬオペレーティングＢＷの中間６個のＲＢ及び全体
【０１２６】
【数１３】
0006501763.tif 000016
【０１２７】
個のＯＦＤＭシンボルでＣＥ-ＰＢＣＨ反復を送信する。各ＣＥ-ＰＢＣＨ反復は、単一、全体ＣＥ-ＰＢＣＨ反復を含む４個のＯＦＤＭシンボル、あるいは単一、部分、ＣＥ-ＰＢＣＨ反復を含む４個より小さい個数のＯＦＤＭシンボルに存在する。全体ＭＴＣ-ＰＢＣＨ反復の全体個数は
【０１２８】
【数１４】
0006501763.tif 000017
【０１２９】
であり、１個の部分反復は
【０１３０】
【数１５】
0006501763.tif 000018
【０１３１】
個のＯＦＤＭシンボルの間に存在する。全体又は部分ＣＥ-ＰＢＣＨ反復に対する複数のＯＦＤＭシンボルがＣＲＳのためのＲＥを含む場合、同一のＯＦＤＭシンボルでＣＲＳ  ＲＥに対して周波数で近接したＲＥは、ＣＥ-ＭＩＢ変調シンボルのＲＥマッピングから除外される(１３１０Ａ)(禁止されたＲＥ)。
本発明の第１の実施形態の第２のマッピング接近方式に対して、ｅＮＢ１０２は、ＤＬオペレーティングＢＷの中間６個のＲＢ及び全体
【０１３２】
【数１６】
0006501763.tif 000019
【０１３３】
個のＯＦＤＭシンボルでＣＥ-ＰＢＣＨを送信する。各ＣＥ-ＰＢＣＨ反復は、単一、全体ＣＥ-ＰＢＣＨ反復を含む４個のＯＦＤＭシンボル又は単一、部分、ＣＥ-ＰＢＣＨ反復を含む４個より小さい個数のＯＦＤＭシンボルに存在する。全体ＣＥ-ＰＢＣＨ反復の全体個数は
【０１３４】
【数１７】
0006501763.tif 000020
【０１３５】
であり、１個の部分反復は
【０１３６】
【数１８】
0006501763.tif 000021
【０１３７】
個のＯＦＤＭシンボルの間に存在する。全体又は部分ＣＥ-ＰＢＣＨ反復に対するＯＦＤＭシンボルがＣＲＳのためのＲＥを含む場合、ＣＲＳ  ＲＥのＯＦＤＭシンボルの次のＯＦＤＭシンボル及びＣＲＳ  ＲＥと同一の周波数でのＲＥは、ＣＥ-ＭＩＢ変調されたシンボルのＲＥマッピングから除外される(１３２０Ａ)。さらに、部分反復に対して、送信されるＣＥ-ＭＩＢ変調シンボルは、各ＯＦＤＭシンボルがＣＲＳに対して予約されているＲＥを含むか、あるいは禁止されているＲＥを含むかに従って全体反復に対して対応するＣＥ-ＭＩＢ変調シンボルを含むことができる。例えば、部分反復が２個のＯＦＤＭシンボルを含む場合、単に第１のＯＦＤＭシンボルのみで、ＣＲＳのために予約されているＲＥ、あるいは禁止されているＲＥが存在し、第１のＯＦＤＭシンボルでＣＥ-ＭＩＢ変調シンボルは、ＣＲＳのために予約されるか、あるいは禁止されているＲＥを含む４個のＯＦＤＭシンボルのうち第１のＯＦＤＭシンボルで全体反復のためのＣＥ-ＭＩＢ変調シンボルと同一であり、第２のＯＦＤＭシンボルでのＣＥ-ＭＩＢ変調シンボルは、ＣＲＳのために予約されるか、あるいは禁止されているＲＥを含まない４個のＯＦＤＭシンボルのうち第１のＯＦＤＭシンボルで全体反復のためのＣＥ-ＭＩＢ変調シンボルと同一である。
【０１３８】
本発明の第２の実施形態において、ＣＥ-ＰＢＣＨは、ＤＬオペレーティングＢＷの中間６個のＲＢ及び全体
【０１３９】
【数１９】
0006501763.tif 000022
【０１４０】
個のＲＥに対応する全体
【０１４１】
【数２０】
0006501763.tif 000023
【０１４２】
個のＯＦＤＭシンボルで送信される(１３３０Ａ)。ＣＥ-ＰＢＣＨは、全体
【０１４３】
【数２１】
0006501763.tif 000024
【０１４４】
個の全体反復及び部分反復とともに同一の個数のＣＥ-ＭＩＢ変調シンボルを含む
【０１４５】
【数２２】
0006501763.tif 000025
【０１４６】
個のＲＥを通じて送信される。
【０１４７】
本発明の２個の実施形態のうちいずれか一つに対して、ｅＮＢ１０２は、ＲＥの集合でＣＳＩ-ＲＳを送信するためにＲＥの集合でＣＥ-ＰＢＣＨ送信をパンクチャリングできる。
【０１４８】
図１３ＡがＣＥ-ＰＢＣＨ反復が階層マッピング及びプリコーディング以後に発生すると考慮しても、ＣＥ-ＰＢＣＨ反復は、ＱＰＳＫ変調以後及び階層マッピング及びプリコーディング以前に発生できる。
【０１４９】
ＣＲＳ送信のために予約されず、ＣＥ-ＭＩＢ変調シンボルをマッピングすることから禁止されている周波数インデックス及びＯＦＤＭシンボルインデックスを有するＲＥに対するマッピングは、まずインデックスと、このインデックス及び最後にフレーム番号の増加順序で存在する。フレームで全体ＯＦＤＭシンボルを含むＯＦＤＭシンボルの集合でのＣＥ-ＰＢＣＨに対して、リソースエレメントインデックスは、
【０１５０】
【数２３】
0006501763.tif 000026
【０１５１】
のように与えられる。
【０１５２】
例えば、ＦＤＤシステム及びフレームで反復を有するＣＥ-ＰＢＣＨセグメントの送信に対して、Ｌは、ＵＥ１１４がＤＬ制御シグナリングのために使用されると仮定するフレームの各ＳＦで、最初の３個のＯＦＤＭシンボルとＵＥ１１４がＰＳＳ/ＳＳＳシグナリングのために使用されると仮定する第１のＳＦ及び第６のＳＦでの第１のスロットの最後の２個のＯＦＤＭシンボルを除き、フレームでのすべてのＯＦＤＭシンボルを含むことができる。ＭＩＢがＣＥ-ＭＩＢと同一の情報コンテンツを伝達しない場合、第１のＳＦの第２のスロットで最初の４個のＯＦＤＭシンボルは集合Ｌから除外される。
【０１５３】
例えば、ＴＤＤシステム及びフレームでＣＥ-ＰＢＣＨセグメントの送信に対して、Ｌは、(ＤＬ制御シグナリングの存在、あるいはＦＤＤよりは異なるＯＦＤＭシンボル又はＳＦに存在するＰＳＳ/ＳＳＳの存在により)除外されるＯＦＤＭシンボルに関するＦＤＤと同一の仮定及び一例として９個のＯＦＤＭシンボルのＤｗＰＴＳ長さと同一の特定ＳＦでのＤｗＰＴＳ長さに対する仮定で、ＳＦ＃０、ＳＦ＃１、ＳＦ＃５、及びＳＦ＃６ですべてのＯＦＤＭシンボルを含むことができる。
【０１５４】
図１３Ｂは、本発明によるＣＥ-ＰＢＣＨ受信器を示す。図１３Ｂに示すＣＥ-ＰＢＣＨ受信器１３８０の実施形態は、説明のみのために提供される。他の実施形態が本発明の範囲から逸脱することなく使用され得る。
【０１５５】
ＵＥ１１４は、ｅＮＢ１０２により送信される信号１３１０Ｂを受信し、デマッパ１３２０Ｂは、ｅＮＢ１０２がＣＥ-ＰＢＣＨを送信するために使用するリソース(ＲＥ）のデマッピングを実行し、結合器は、第１の実施形態の第１又は第２の接近方式のリソースマッピングによる、あるいは第２の実施形態のリソースマッピングによるＣＥ-ＰＢＣＨ送信の反復を結合する。復調器１３３０Ｂは、ＣＥ-ＰＢＣＨシンボルを復調し、デスクランブラ１３４０は、復調されたＣＥ-ＰＢＣＨシンボルをデスクランブリングし、その次にレートマッチングユニット１３５０、チャンネルデコーダ１３６０、及びＣＲＳ抽出及びチェックユニット１３７０が存在する。ＣＲＣチェックが肯定である場合、ＵＥ１１４は、ＣＥ-ＭＩＢを検出したと見なし、そうでない場合にはＣＥ-ＰＢＣＨ反復の仮定された受信の新たなＣＥ-ＰＢＣＨ復号化を試みる。新たなＣＥ-ＰＢＣＨ復号化は、ＳＦＮのＬＳＢを伝達するスクランブリングコードに対する異なる仮設に対応し、複数の連続したフレームで結合されるＣＥ-ＰＢＣＨ受信に対応する。ＣＥ-ＰＢＣＨ受信器は、ＰＢＣＨ受信器と同一であるが、ＰＢＣＨ送信が反復されず、常に所定のＳＦ(ＳＦ＃０)で発生するため、結合器が存在せず、ＵＥ１１４は、常にＰＢＣＨ受信が存在すると仮定することができる。
【０１５６】
ｅＮＢ１０２が(関連したＣＥ-ＰＢＣＨオーバーヘッドを減少させるために)ＣＥ-ＰＢＣＨを送信しない場合、ＵＥ１１４によりＣＥ-ＰＢＣＨを復号化する試しに関連した電力消耗は、ｅＮＢ１０２がフレームでＣＥ-ＰＢＣＨを送信するか否かをＵＥ１１４が判定できる場合に低減できる。さらに、ＵＥ１１４が４個のフレームでＣＥ-ＰＢＣＨ反復の送信の仮設テスティング(testing)によりＣＥ-ＭＩＢを検出するため、４個のフレームでＰＢＣＨにより伝送されるＭＩＢを検出する場合と同様であり、ＵＥ１１４がＣＥ-ＭＩＢ検出確率を増加させるため、フレームで実際のＣＥ-ＰＢＣＨ送信が存在するか否かを検出することが有利である。上記のような決定は、ｅＮＢ１０２がＣＥ-ＰＢＣＨ反復を送信するために使用できる時間-周波数リソースでの受信シンボルと比較してＵＥ１１４により達成できる。
【０１５７】
上記比較は、例えば、同一のフレームで第１のＣＥ-ＰＢＣＨ反復でのインデックスを有する受信シンボルと第２のＣＥ-ＰＢＣＨ反復での同一のインデックスを有する受信シンボルの複素共役(complex  conjugate)を相関する(乗算する)ことで可能になり得る。第１の仮定は、ＣＥ-ＰＢＣＨ反復を送信するために使用され、異なる反復で同一のインデックスを有するシンボルは同一の情報を伝達することである。第２の仮定は、同一のフレームでのＣＥ-ＰＢＣＨ反復は、時間及び周波数ドメインで比較的非選択的なチャンネルを意味する同一のＤＬチャンネル媒体を経験することである。第１及び第２の反復は、ＤＬチャンネル媒体の時間選択性の影響を最小化するために連続した反復であり得る。
【０１５８】
一つ又は複数の対のＣＥ-ＰＢＣＨ反復を通じる相関を平均化し、その平均結果をしきい値と比較することによって、平均結果がしきい値を超える場合に平均結果が、ｅＮＢ１０２が実際ＣＥ-ＰＢＣＨを送信する場合のエネルギー及び残留平均雑音を含むため、ＵＥ１１４は、ｅＮＢ１０２がＣＥ-ＰＢＣＨを送信すると判定できる。ＵＥ１１４は、平均結果がしきい値を超えない場合、平均結果が、ｅＮＢ１０２がＣＥ-ＰＢＣＨを送信しない場合の平均雑音のみを含むため、ｅＮＢ１０２がＣＥ-ＰＢＣＨを送信しないと判定できる。例えば、フレーム別に４個の反復を有するＣＥ-ＰＢＣＨ送信に対して、ＵＥ１１４は、第１及び第２の反復、第２及び第３の反復、及び第３及び第４の反復間の平均を加算することにより平均結果を獲得できる。反復の個数又はＣＥ-ＰＢＣＨ反復でＣＥ-ＭＩＢ変調シンボルを伝達するＲＥの個数で正規化する場合、ＮCE-MIBが適用できる。ＭＩＢが同一のＣＲＣを含むＣＥ-ＭＩＢと同一のコンテンツを有する場合、ＵＥ１１４は、ＣＥ-ＰＢＣＨ反復のうち一つとしてＰＢＣＨを含むことができる。
【０１５９】
ＮCE-MIBをＣＥ-ＰＢＣＨ反復でＣＥ-ＭＩＢ変調シンボルを伝達するＲＥの個数として示す場合、例えば、図８、図９、又は図１２のように、ＮCE-MIB＝２４０である。ｒ１(ｎ)及びｒ２(ｎ)を各々フレームで第１及び第２のＣＥ-ＰＢＣＨ反復でＣＥ-ＭＩＢに対するＲＥでの受信シンボルで示す場合、ここで、ｎ＝０，…，ＮCE-MIB−１であり、ＵＥ１１４は、
【０１６０】
【数２４】
0006501763.tif 000027
【０１６１】
である場合、ｅＮＢ１０２がＣＥ-ＰＢＣＨを送信すると判定され、
【０１６２】
【数２５】
0006501763.tif 000028
【０１６３】
は、ｒ２(ｎ）の複素共役であり、Ｔはしきい値である。ＵＥ１１４のｅＮＢ１０２がＣＥ-ＰＢＣＨを送信するか否かに対する判定正確度を改善させるために、以前の平均化は、フレームで複数の対のＣＥ-ＰＢＣＨ反復に拡張され得る。
【０１６４】
図１４は、本発明によるフレームでＣＥ-ＰＢＣＨ送信の存在を決定するＣＥ-ＰＢＣＨ受信器を示す。図１４に示すＣＥ-ＰＢＣＨ受信器１４００の実施形態は、ただ説明のみのためのものである。他の実施形態が本発明の範囲から逸脱することなく使用ができる。
【０１６５】
ＵＥ１１４は、ｅＮＢ１０２がＣＥ-ＰＢＣＨ反復を送信できる時間-周波数リソースで信号１４１０を受信する。デマッパ１４２０は、ｅＮＢ１０２がフレームでＣＥ-ＰＢＣＨ反復を送信するために使用するマッピングに従ってリソース(ＲＥ）のデマッピングを遂行し(例えば、本発明の第２の実施形態で説明したように)、相関器１４３０は、各受信信号ｒｉ(ｎ)及びｒｊ(ｎ)を用いて他の反復ｉ及びｊでＣＥ-ＰＢＣＨ送信のエレメントｎを相関し、累積器１４４０は、ＣＥ-ＰＢＣＨ反復のすべてのエレメントを通じて相関結果に対する合算値を演算し、演算ユニット１４５０は、合算値の大きさを演算し、比較器１４６０は、大きさとしきい値とを比較する。反復ｉ及びｊは、連続して反復できる。ステップ１４４０，１４５０の順序は、相互に変更できる。さらに、対のＣＥ-ＰＢＣＨ反復を使用する相関は、合算値を演算する場合を考慮できる。ステップ１４５０での比較結果に基づき、ＵＥ１１４は、ＣＥ-ＰＢＣＨ反復がフレームに存在し(比較器に対する入力がしきい値を超え)、あるいはフレームに存在しないと決定できる(比較器に対する入力がしきい値を超える)。
【０１６６】
図１４で説明したようなプロセスは、ｅＮＢ１０２が実際にチャンネルを送信するか否かを知っているＵＥ１１４、あるいは開始サブフレーム又はチャンネルの送信のためのフレームを知っているＵＥ１１４がなくても反復とともに送信される他のチャンネルに直接適用され得る。
【０１６７】
以上、本発明を具体的な実施形態に関して図示及び説明したが、添付した特許請求の範囲により規定されるような本発明の精神及び範囲を外れることなく、形式や細部の様々な変更が可能であることは、当該技術分野における通常の知識を持つ者には明らかである。
【符号の説明】
【０１６８】
１００  無線ネットワーク
１０１  ｅＮＢ
１０２  ｅＮＢ
１０３  ｅＮＢ
１１１  ＵＥ
１１２  ＵＥ
１１４  ＵＥ
１１５  ＵＥ
１１６  ＵＥ
１２０  カバレッジ領域
１２５  カバレッジ領域
１３０  ネットワーク
２０５  アンテナ
２１０  ＲＦ送受信器
２１５  ＴＸプロセッシング回路
２２０  マイクロホン
２２５  ＲＸプロセッシング回路
２３０  スピーカ
２４０  メインプロセッサ
２４０  あるいは（Ｗｅｂブラウジングデータ用のような）メインプロセッサ
２４５  入出力（Ｉ／Ｏ）インターフェース
２５０  キーパッド
２５５  ディスプレイ
２６０  メモリ
３０５  アンテナ
３１０  ＲＦ送受信器
３１５  ＴＸプロセッシング回路
３２０  ＲＸプロセッシング回路
３２５  プロセッサ
３３０  メモリ
【図１】
0006501763.tif 000034
【図２】
0006501763.tif 000035
【図３】
0006501763.tif 000036
【図４Ａ】
0006501763.tif 000037
【図４Ｂ】
0006501763.tif 000038
【図５Ａ】
0006501763.tif 000039
【図５Ｂ】
0006501763.tif 000040
【図６】
0006501763.tif 000041
【図７】
0006501763.tif 000042
【図８】
0006501763.tif 000043
【図９Ａ】
0006501763.tif 000044
【図９Ｂ】
0006501763.tif 000045
【図９Ｃ】
0006501763.tif 000046
【図１０】
0006501763.tif 000047
【図１１】
0006501763.tif 000048
【図１２】
0006501763.tif 000049
【図１３Ａ】
0006501763.tif 000050
【図１３Ｂ】
0006501763.tif 000051
【図１４】
0006501763.tif 000052